(57)【要約】【課題】本発明は、無線通信システムに関し、より詳細には、アップリンク電力制御方法及びこのための装置を開示する。【解決手段】本発明の一実施例に係る無線通信システムにおいて端末がアップリンク伝送電力制御を行う方法は、複数のサブフレームセットに対する設定情報を基地局から受信する段階と、複数のサブフレームでのアップリンク伝送をスケジューリングするアップリンクグラント情報、及び伝送電力制御（ＴＰＣ）情報を受信する段階と、前記複数のサブフレームでアップリンクチャンネル伝送を行う段階と、を含むことができる。前記複数のサブフレームが前記複数のサブフレームセットのうち一つの同一のサブフレームセットに属する場合、前記ＴＰＣ情報は前記複数のサブフレームのうちいずれか一つのみに適用することができる。【選択図】図１３
2016515334.tif 000002
【特許請求の範囲】
【請求項１】
無線通信システムで端末がアップリンク伝送電力制御を行う方法において、
複数のサブフレームセットに対する設定情報を基地局から受信する段階と、
複数のサブフレームでのアップリンク伝送をスケジューリングするアップリンクグラント情報、及び伝送電力制御（ＴＰＣ）情報を受信する段階と、
前記複数のサブフレームでアップリンクチャンネル伝送を行う段階とを含み、
前記複数のサブフレームが前記複数のサブフレームセットのうち一つの同一のサブフレームセットに属する場合、前記ＴＰＣ情報は、前記複数のサブフレームのうちいずれか一つのみに適用される、アップリンク伝送電力制御方法。
【請求項２】
前記複数のサブフレームにおいて、前記アップリンクチャンネルは同一の伝送電力で伝送される、請求項１に記載のアップリンク伝送電力制御方法。
【請求項３】
前記複数のサブフレームのうち時間上で先行する一つのサブフレームのみに前記ＴＰＣ情報が適用される、請求項１に記載のアップリンク伝送電力制御方法。
【請求項４】
前記複数のサブフレームは連続するサブフレームである、請求項１に記載のアップリンク伝送電力制御方法。
【請求項５】
前記複数のサブフレームが前記複数のサブフレームセットのうち互いに異なるサブフレームセットに属する場合、前記ＴＰＣ情報は、前記複数のサブフレームのそれぞれに適用される、請求項１に記載のアップリンク伝送電力制御方法。
【請求項６】
前記アップリンクグラント情報及び前記ＴＰＣ情報は、ダウンリンク制御情報（ＤＣＩ）フォーマット０またはＤＣＩフォーマット４に含まれ、
前記ＤＣＩフォーマット０または前記ＤＣＩフォーマット４に含まれたアップリンクインデックス（ＵＬ  Ｉｎｄｅｘ）フィールドの値は１１に設定される、請求項５に記載のアップリンク伝送電力制御方法。
【請求項７】
前記端末に対して所定のアップリンク―ダウンリンク（ＵＬ―ＤＬ）設定に対する情報が提供される、請求項１に記載のアップリンク伝送電力制御方法。
【請求項８】
前記所定のＵＬ―ＤＬ設定に対する情報は、システム情報ブロックを通じて提供され、または動的シグナリングを通じて提供される、請求項７に記載のアップリンク伝送電力制御方法。
【請求項９】
前記所定のＵＬ―ＤＬ設定はＵＬ―ＤＬ設定インデックス０である、請求項７に記載のアップリンク伝送電力制御方法。
【請求項１０】
アップリンクグラント情報及び前記ＴＰＣ情報はサブフレームインデックス１で受信され、
前記複数のサブフレームはサブフレームインデックス７及び８である、請求項１に記載のアップリンク伝送電力制御方法。
【請求項１１】
前記アップリンクチャンネルは物理アップリンク共有チャンネル（ＰＵＳＣＨ）である、請求項１に記載のアップリンク伝送電力制御方法。
【請求項１２】
前記無線通信システムは時間分割デュプレックス（ＴＤＤ）システムである、請求項１に記載のアップリンク伝送電力制御方法。
【請求項１３】
無線通信システムで基地局がアップリンク信号を受信する方法において、
複数のサブフレームセットに対する設定情報を端末に伝送する段階と、
複数のサブフレームでのアップリンク伝送をスケジューリングするアップリンクグラント情報、及び伝送電力制御（ＴＰＣ）情報を前記端末に伝送する段階と、
前記複数のサブフレームでアップリンクチャンネル上で前記アップリンク信号を前記端末から受信する段階とを含み、
前記複数のサブフレームが前記複数のサブフレームセットのうち一つの同一のサブフレームセットに属する場合、前記ＴＰＣ情報は前記複数のサブフレームのうちいずれか一つのみに適用される、アップリンク信号受信方法。
【請求項１４】
無線通信システムでアップリンク伝送電力制御を行う端末装置において、
伝送モジュールと、
受信モジュールと、
プロセッサとを含み、
前記プロセッサは、
複数のサブフレームセットに対する設定情報を基地局から受信するように前記受信モジュールを制御し、
複数のサブフレームでのアップリンク伝送をスケジューリングするアップリンクグラント情報、及び伝送電力制御（ＴＰＣ）情報を受信するように前記受信モジュールを制御し、
前記複数のサブフレームでアップリンクチャンネル伝送を行うように前記伝送モジュールを制御するように設定され、
前記複数のサブフレームが前記複数のサブフレームセットのうち一つの同一のサブフレームセットに属する場合、前記ＴＰＣ情報は、前記複数のサブフレームのうちいずれか一つのみに適用される、アップリンク伝送電力制御端末装置。
【請求項１５】
無線通信システムでアップリンク信号を受信する基地局装置において、
伝送モジュールと、
受信モジュールと、
プロセッサとを含み、
前記プロセッサは、
複数のサブフレームセットに対する設定情報を端末に伝送するように前記伝送モジュールを制御し、
複数のサブフレームでのアップリンク伝送をスケジューリングするアップリンクグラント情報、及び伝送電力制御（ＴＰＣ）情報を前記端末に伝送するように前記伝送モジュールを制御し、
前記複数のサブフレームでアップリンクチャンネル上で前記アップリンク信号を前記端末から受信するように前記受信モジュールを制御するように設定され、
前記複数のサブフレームが前記複数のサブフレームセットのうち一つの同一のサブフレームセットに属する場合、前記ＴＰＣ情報は、前記複数のサブフレームのうちいずれか一つのみに適用される、アップリンク信号受信基地局装置。
【発明の詳細な説明】
【技術分野】
【０００１】
以下の説明は、無線通信システムに関し、より詳細には、アップリンク電力制御方法及びこのための装置に関する。
【背景技術】
【０００２】
本発明が適用され得る無線通信システムの一例として、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という）通信システムについて概略的に説明する。
【０００３】
図１は、無線通信システムの一例として、Ｅ―ＵＭＴＳ網の構造を概略的に示した図である。Ｅ―ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進化したシステムであって、現在、３ＧＰＰで基礎的な標準化作業を進めている。一般に、Ｅ―ＵＭＴＳは、ＬＴＥ（Ｌｏｎｇ  Ｔｅｒｍ  Ｅｖｏｌｕｔｉｏｎ）システムと称することもできる。ＵＭＴＳ及びＥ―ＵＭＴＳの技術規格（ｔｅｃｈｎｉｃａｌ  ｓｐｅｃｉｆｉｃａｔｉｏｎ）の詳細な内容は、それぞれ「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ  ７とＲｅｌｅａｓｅ  ８を参照することができる。
【０００４】
図１を参照すると、Ｅ―ＵＭＴＳは、端末（Ｕｓｅｒ  Ｅｑｕｉｐｍｅｎｔ：ＵＥ）、基地局（ｅＮｏｄｅ  Ｂ：ｅＮＢ）、及びネットワーク（Ｅ―ＵＴＲＡＮ）の終端に位置し、外部ネットワークと連結される接続ゲートウェイ（Ａｃｃｅｓｓ  Ｇａｔｅｗａｙ：ＡＧ）を含む。基地局は、ブロードキャストサービス、マルチキャストサービス及び／またはユニキャストサービスのために多重データストリームを同時に伝送することができる。
【０００５】
一つの基地局には一つ以上のセルが存在する。セルは、１．２５、２．５、５、１０、１５、２０Ｍｈｚなどの帯域幅のうち一つに設定され、多くの端末にダウンリンクまたはアップリンク伝送サービスを提供する。互いに異なるセルは、互いに異なる帯域幅を提供するように設定することができる。基地局は、多数の端末に対するデータ送受信を制御する。ダウンリンク（Ｄｏｗｎｌｉｎｋ：ＤＬ）データに対して、基地局は、ダウンリンクスケジューリング情報を伝送し、該当の端末にデータが伝送される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、アップリンク（Ｕｐｌｉｎｋ：ＵＬ）データに対して、基地局は、アップリンクスケジューリング情報を該当の端末に伝送し、該当の端末が使用可能な時間／周波数領域、符号化、データサイズ、ＨＡＲＱ関連情報などを知らせる。各基地局間には、使用者トラフィックまたは制御トラフィックの伝送のためのインターフェースを使用することができる。コアネットワーク（Ｃｏｒｅ  Ｎｅｔｗｏｒｋ：ＣＮ）は、ＡＧ及び端末の使用者登録などのためのネットワークノードなどで構成することができる。ＡＧは、複数のセルで構成されるＴＡ（Ｔｒａｃｋｉｎｇ  Ａｒｅａ）単位で端末の移動性を管理する。
【０００６】
無線通信技術は、ＷＣＤＭＡに基づいてＬＴＥまで開発されてきたが、使用者と事業者の要求と期待は持続的に増加している。また、他の無線接続技術が継続して開発されているので、今後、競争力を有するためには新たな技術進化が要求され、ビット当たりの費用減少、サービス利用可能性増大、融通性のある周波数バンドの使用、単純構造と開放型インターフェース、端末の適切なパワー消耗などが要求される。
【０００７】
最近、３ＧＰＰは、ＬＴＥに対する後続技術に対する標準化作業を進めている。本明細書では、前記技術を「ＬＴＥ―Ａ」と称する。ＬＴＥ―Ａシステムは、最大１００ＭＨｚの広帯域をサポートすることを目標としており、このために、複数の周波数ブロックを用いて広帯域を達成する搬送波併合（ｃａｒｒｉｅｒ  ａｇｇｒｅｇａｔｉｏｎ：ＣＡ）技術を使用している。ＣＡは、より広い周波数帯域を使用するために、複数の周波数ブロックを一つの大きな論理周波数帯域として使用する。各周波数ブロックの帯域幅は、ＬＴＥシステムで使用されるシステムブロックの帯域幅に基づいて定義することができる。それぞれの周波数ブロックは、コンポーネントキャリア（ＣＣ）またはセル（Ｃｅｌｌ）と称することができる。
【０００８】
また、ＬＴＥシステムでは、全体の利用可能な資源をダウンリンク資源（すなわち、基地局が端末に信号を伝送するのに使用する資源）とアップリンク資源（すなわち、端末が基地局に信号を伝送するのに使用する資源）とに分割するデュプレックス（ｄｕｐｌｅｘ）動作をサポートすることができる。例えば、周波数分割デュプレックス（ＦＤＤ）方式、または時間分割デュプレックス（ＴＤＤ）方式を適用することができる。このように、それぞれの資源の用途がダウンリンク（ＤＬ）及びアップリンク（ＵＬ）のうちいずれか一つに設定され得るが、既存のＬＴＥシステムでは、これをシステム情報を通じて指定するものと定義している。
【０００９】
最近は、ＬＴＥ／ＬＴＥ―Ａシステムの改善方案の一つとして、このようなデュプレックス動作においてＤＬ―ＵＬ設定を動的（ｄｙｎａｍｉｃ）に指定する方案が論議されている。
【発明の概要】
【発明が解決しようとする課題】
【００１０】
本発明では、ＤＬ―ＵＬ設定を動的に設定する場合において、ＤＬ―ＵＬ干渉管理及びトラフィック適応を効率的にサポートする改善されたアップリンク電力制御方案を提供することを目的とする。
【００１１】
本発明で達成しようとする技術的課題は、上述した技術的課題に制限されず、言及していない更に他の技術的課題は、下記の記載から本発明の属する技術分野で通常の知識を有する者に明確に理解され得るだろう。
【課題を解決するための手段】
【００１２】
前記の技術的課題を解決するために、本発明の一実施例に係る無線通信システムにおいて端末がアップリンク伝送電力制御を行う方法は、複数のサブフレームセットに対する設定情報を基地局から受信する段階と、複数のサブフレームでのアップリンク伝送をスケジューリングするアップリンクグラント情報、及び伝送電力制御（ＴＰＣ）情報を受信する段階と、前記複数のサブフレームでアップリンクチャンネル伝送を行う段階とを含むことができる。前記複数のサブフレームが前記複数のサブフレームセットのうち一つの同一のサブフレームセットに属する場合、前記ＴＰＣ情報は、前記複数のサブフレームのうちいずれか一つのみに適用することができる。
【００１３】
前記の技術的課題を解決するために、本発明の他の実施例に係る無線通信システムにおいて基地局がアップリンク信号を受信する方法は、複数のサブフレームセットに対する設定情報を端末に伝送する段階と、複数のサブフレームでのアップリンク伝送をスケジューリングするアップリンクグラント情報、及び伝送電力制御（ＴＰＣ）情報を前記端末に伝送する段階と、前記複数のサブフレームでアップリンクチャンネル上で前記アップリンク信号を前記端末から受信する段階とを含むことができる。前記複数のサブフレームが前記複数のサブフレームセットのうち一つの同一のサブフレームセットに属する場合、前記ＴＰＣ情報は、前記複数のサブフレームのうちいずれか一つのみに適用することができる。
【００１４】
前記の技術的課題を解決するために、本発明の更に他の実施例に係る無線通信システムにおいてアップリンク伝送電力制御を行う端末装置は、伝送モジュールと、受信モジュールと、及びプロセッサとを含むことができる。前記プロセッサは、複数のサブフレームセットに対する設定情報を基地局から受信するように前記受信モジュールを制御し、複数のサブフレームでのアップリンク伝送をスケジューリングするアップリンクグラント情報、及び伝送電力制御（ＴＰＣ）情報を受信するように前記受信モジュールを制御し、前記複数のサブフレームでアップリンクチャンネル伝送を行うように前記伝送モジュールを制御するように設定することができる。前記複数のサブフレームが前記複数のサブフレームセットのうち一つの同一のサブフレームセットに属する場合、前記ＴＰＣ情報は、前記複数のサブフレームのうちいずれか一つのみに適用することができる。
【００１５】
前記の技術的課題を解決するために、本発明の更に他の実施例に係る無線通信システムにおいてアップリンク信号を受信する基地局装置は、伝送モジュールと、受信モジュールと、及びプロセッサとを含むことができる。前記プロセッサは、複数のサブフレームセットに対する設定情報を端末に伝送するように前記伝送モジュールを制御し、複数のサブフレームでのアップリンク伝送をスケジューリングするアップリンクグラント情報、及び伝送電力制御（ＴＰＣ）情報を前記端末に伝送するように前記伝送モジュールを制御し、前記複数のサブフレームでアップリンクチャンネル上で前記アップリンク信号を前記端末から受信するように前記受信モジュールを制御するように設定することができる。前記複数のサブフレームが前記複数のサブフレームセットのうち一つの同一のサブフレームセットに属する場合、前記ＴＰＣ情報は、前記複数のサブフレームのうちいずれか一つのみに適用することができる。
【００１６】
前記本発明に係る各実施例において、以下の事項を適用することができる。
【００１７】
前記複数のサブフレームにおいて、前記アップリンクチャンネルは、同一の伝送電力で伝送することができる。
【００１８】
前記複数のサブフレームのうち時間上で先行する一つのサブフレームのみに前記ＴＰＣ情報を適用することができる。
【００１９】
前記複数のサブフレームは、連続する各サブフレームであり得る。
【００２０】
前記複数のサブフレームが前記複数のサブフレームセットのうち互いに異なるサブフレームセットに属する場合、前記ＴＰＣ情報は、前記複数のサブフレームのそれぞれに適用することができる。
【００２１】
前記アップリンクグラント情報及び前記ＴＰＣ情報は、ダウンリンク制御情報（ＤＣＩ）フォーマット０またはＤＣＩフォーマット４に含まれ、前記ＤＣＩフォーマット０または前記ＤＣＩフォーマット４に含まれたアップリンクインデックス（ＵＬ  Ｉｎｄｅｘ）フィールドの値は１１に設定することができる。
【００２２】
前記端末に対して、所定のアップリンク―ダウンリンク（ＵＬ―ＤＬ）設定に対する情報を提供することができる。
【００２３】
前記所定のＵＬ―ＤＬ設定に対する情報は、システム情報ブロックを通じて提供したり、または動的シグナリングを通じて提供することができる。
【００２４】
前記所定のＵＬ―ＤＬ設定は、ＵＬ―ＤＬ設定インデックス０であり得る。
【００２５】
アップリンクグラント情報及び前記ＴＰＣ情報は、サブフレームインデックス１で受信され、前記複数のサブフレームはサブフレームインデックス７及び８であり得る。
【００２６】
前記アップリンクチャンネルは、物理アップリンク共有チャンネル（ＰＵＳＣＨ）であり得る。
【００２７】
前記無線通信システムは、時間分割デュプレックス（ＴＤＤ）システムであり得る。
【００２８】
本発明について上述した一般的な説明と後述する詳細な説明は、例示的なものであって、請求項に記載の発明を追加的に説明するためのものである。
【発明の効果】
【００２９】
本発明によると、ＤＬ―ＵＬ設定を動的に設定する場合において、ＤＬ―ＵＬ干渉管理及びトラフィック適応を効率的にサポートする改善されたアップリンク電力制御方案を提供することができる。
【００３０】
本発明で得られる効果は、以上で言及した各効果に制限されず、言及していない更に他の効果は、下記の記載から本発明の属する技術分野で通常の知識を有する者に明確に理解され得るだろう。
【図面の簡単な説明】
【００３１】
【図１】移動通信システムの一例としてＥ―ＵＭＴＳ網の構造を概略的に示した図である。
【図２】無線フレームの構造について説明するための図である。
【図３】ダウンリンクスロットでの資源グリッド（ｒｅｓｏｕｒｃｅ  ｇｒｉｄ）を示す図である。
【図４】ダウンリンクサブフレームの構造及びアップリンクサブフレームの構造を示す図である。
【図５】単一セル状況でＴＤＤ  ＵＬ  ＡＣＫ／ＮＡＣＫ（Ｕｐｌｉｎｋ  Ａｃｋｎｏｗｌｅｄｇｅｍｅｎｔ／Ｎｅｇａｔｉｖｅ  Ａｃｋｎｏｗｌｅｄｇｅｍｅｎｔ）伝送タイミングを示す図である。
【図６】単一セル状況でＴＤＤ  ＵＬ  ＡＣＫ／ＮＡＣＫ（Ｕｐｌｉｎｋ  Ａｃｋｎｏｗｌｅｄｇｅｍｅｎｔ／Ｎｅｇａｔｉｖｅ  Ａｃｋｎｏｗｌｅｄｇｅｍｅｎｔ）伝送タイミングを示す図である。
【図７】単一セル状況でＴＤＤ  ＰＵＳＣＨ（Ｐｈｙｓｉｃａｌ  Ｕｐｌｉｎｋ  Ｓｈａｒｅｄ  ＣＨａｎｎｅｌ）伝送タイミングを示す図である。
【図８】単一セル状況でＴＤＤ  ＰＵＳＣＨ（Ｐｈｙｓｉｃａｌ  Ｕｐｌｉｎｋ  Ｓｈａｒｅｄ  ＣＨａｎｎｅｌ）伝送タイミングを示す図である。
【図９】単一セル状況でＴＤＤ  ＤＬ  ＡＣＫ／ＮＡＣＫ伝送タイミングを示す図である。
【図１０】単一セル状況でＴＤＤ  ＤＬ  ＡＣＫ／ＮＡＣＫ伝送タイミングを示す図である。
【図１１】単一セル状況でＴＤＤ  ＨＡＲＱ（Ｈｙｂｒｉｄ  Ａｕｔｏｍａｔｉｃ  Ｒｅｐｅａｔ  ｒｅＱｕｅｓｔ）プロセスを示す図である。
【図１２】本発明の例示に係るサブフレームセット設定を説明するための図である。
【図１３】本発明に係るアップリンク伝送電力制御方法を説明するためのフローチャートである。
【図１４】本発明に係る基地局装置及び端末装置の好ましい実施例の構成を示した図である。
【発明を実施するための形態】
【００３２】
本明細書に添付される図面は、本発明に対する理解を提供するためのものであって、本発明の多様な実施形態を示し、明細書の記載と共に本発明の原理を説明するためのものである。
以下の各実施例は、本発明の各構成要素と各特徴を所定の形態で結合したものである。各構成要素または特徴は、別途の明示的な言及がない限り、選択的なものとして考慮することができる。各実施例は、各構成要素または特徴が他の構成要素や特徴と結合されていない形態で実施することができる。また、一部の構成要素及び／または特徴を結合して本発明の実施例を構成することもできる。本発明の各実施例で説明する各動作の順序は変更可能である。いずれかの実施例の一部の構成や特徴は、他の実施例に含ませたり、または、他の実施例の対応する構成または特徴に取り替えることができる。
【００３３】
本明細書において、本発明の各実施例を基地局と端末との間のデータ送信及び受信の関係を中心に説明する。ここで、基地局は、端末と直接的に通信を行うネットワークの終端ノード（ｔｅｒｍｉｎａｌ  ｎｏｄｅ）としての意味を有する。本文書において、基地局によって行われると説明した特定の動作は、場合に応じては、基地局の上位ノード（ｕｐｐｅｒ  ｎｏｄｅ）によって行うこともできる。
【００３４】
すなわち、基地局を含む多数のネットワークノード（ｎｅｔｗｏｒｋ  ｎｏｄｅｓ）からなるネットワークで端末との通信のために行われる多様な動作は、基地局または基地局以外の他のネットワークノードによって行われ得ることは自明である。「基地局（ＢＳ：Ｂａｓｅ  Ｓｔａｔｉｏｎ）」は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ＡＰ：Ａｃｃｅｓｓ  Ｐｏｉｎｔ）、遠隔無線ヘッド（Ｒｅｍｏｔｅ  Ｒａｄｉｏ  Ｈｅａｄ：ＲＲＨ）、伝送ポイント（ＴＰ）、受信ポイント（ＲＰ）などの用語に取り替えることができる。中継器は、Ｒｅｌａｙ  Ｎｏｄｅ（ＲＮ）、Ｒｅｌａｙ  Ｓｔａｔｉｏｎ（ＲＳ）などの用語に取り替えることができる。また、「端末（Ｔｅｒｍｉｎａｌ）」は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）などの用語に取り替えることができる。
【００３５】
以下の説明で使用される特定の用語は、本発明の理解を促進するために提供されたものであって、このような特定の用語の使用は、本発明の技術的思想から逸脱しない範囲で他の形態に変更可能である。
【００３６】
いくつかの場合、本発明の概念が曖昧になることを避けるために、公知の構造及び装置は省略したり、各構造及び装置のコア機能を中心にしたブロック図の形式で図示することができる。また、本明細書全体にわたって同一の構成要素に対しては、同一の図面符号を使用して説明する。
【００３７】
本発明の各実施例は、無線接続システムであるＩＥＥＥ  ８０２システム、３ＧＰＰシステム、３ＧＰＰ  ＬＴＥ及びＬＴＥ―Ａ（ＬＴＥ―Ａｄｖａｎｃｅｄ）システム、及び３ＧＰＰ２システムのうち少なくとも一つに開示した各標準文書によって裏付けることができる。すなわち、本発明の各実施例のうち本発明の技術的思想を明確に表すために説明していない各段階または各部分は、前記各文書によって裏付けることができる。また、本文書で開示している全ての用語は、前記標準文書によって説明することができる。
【００３８】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ―ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などの多様な無線接続システムに使用することができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００などの無線技術（ｒａｄｉｏ  ｔｅｃｈｎｏｌｏｇｙ）で具現することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）などの無線技術で具現することができる。ＯＦＤＭＡは、ＩＥＥＥ  ８０２．１１（Ｗｉ―Ｆｉ）、ＩＥＥＥ  ８０２．１６（ＷｉＭＡＸ）、ＩＥＥＥ  ８０２―２０、Ｅ―ＵＴＲＡ（Ｅｖｏｌｖｅｄ  ＵＴＲＡ）などの無線技術で具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（ｌｏｎｇ  ｔｅｒｍ  ｅｖｏｌｕｔｉｏｎ）は、Ｅ―ＵＴＲＡを使用するＥ―ＵＭＴＳ（Ｅｖｏｌｖｅｄ  ＵＭＴＳ）の一部であって、ダウンリンクでＯＦＤＭＡを採用し、アップリンクでＳＣ―ＦＤＭＡを採用する。ＬＴＥ―Ａ（Ａｄｖａｎｃｅｄ）は、３ＧＰＰ  ＬＴＥの進化である。ＷｉＭＡＸは、ＩＥＥＥ  ８０２．１６ｅ規格（ＷｉｒｅｌｅｓｓＭＡＮ―ＯＦＤＭＡ  Ｒｅｆｅｒｅｎｃｅ  Ｓｙｓｔｅｍ）及び発展したＩＥＥＥ  ８０２．１６ｍ規格（ＷｉｒｅｌｅｓｓＭＡＮ―ＯＦＤＭＡ  Ａｄｖａｎｃｅｄ  ｓｙｓｔｅｍ）によって説明することができる。明確性のために、以下では、３ＧＰＰ  ＬＴＥ及び３ＧＰＰ  ＬＴＥ―Ａシステムを主に説明するが、本発明の技術的思想がこれに制限されることはない。
【００３９】
図２は、無線フレームの構造について説明するための図である。
【００４０】
セルラーＯＦＤＭ無線パケット通信システムにおいて、アップリンク／ダウンリンクデータパケット伝送は、サブフレーム（ｓｕｂｆｒａｍｅ）単位からなり、一つのサブフレームは、多数のＯＦＤＭシンボルを含む一定の時間区間として定義される。３ＧＰＰ  ＬＴＥ標準では、ＦＤＤ（Ｆｒｅｑｕｅｎｃｙ  Ｄｉｖｉｓｉｏｎ  Ｄｕｐｌｅｘ）に適用可能なタイプ１の無線フレーム（ｒａｄｉｏ  ｆｒａｍｅ）構造と、ＴＤＤ（Ｔｉｍｅ  Ｄｉｖｉｓｉｏｎ  Ｄｕｐｌｅｘ）に適用可能なタイプ２の無線フレーム構造をサポートする。
【００４１】
図２（ａ）は、タイプ１の無線フレームの構造を示す図である。ダウンリンク無線フレームは、１０個のサブフレームで構成され、一つのサブフレームは、時間領域（ｔｉｍｅ  ｄｏｍａｉｎ）で２個のスロット（ｓｌｏｔ）で構成される。一つのサブフレームが伝送されるのにかかる時間をＴＴＩ（ｔｒａｎｓｍｉｓｓｉｏｎ  ｔｉｍｅ  ｉｎｔｅｒｖａｌ）と称し、例えば、一つのサブフレームの長さは１ｍｓで、一つのスロットの長さは０．５ｍｓであり得る。一つのスロットは、時間領域で複数のＯＦＤＭシンボルを含み、周波数領域で多数の資源ブロック（Ｒｅｓｏｕｒｃｅ  Ｂｌｏｃｋ：ＲＢ）を含む。３ＧＰＰ  ＬＴＥシステムではダウンリンクでＯＦＤＭＡを使用するので、ＯＦＤＭシンボルが一つのシンボル区間を示す。また、ＯＦＤＭシンボルは、ＳＣ―ＦＤＭＡシンボルまたはシンボル区間と称することもできる。資源ブロック（Ｒｅｓｏｕｒｃｅ  Ｂｌｏｃｋ：ＲＢ）は、資源割り当て単位であって、一つのスロットで複数の連続的な副搬送波（ｓｕｂｃａｒｒｉｅｒ）を含むことができる。
【００４２】
一つのスロットに含まれるＯＦＤＭシンボルの数は、ＣＰ（Ｃｙｃｌｉｃ  Ｐｒｅｆｉｘ）の構成（ｃｏｎｆｉｇｕｒａｔｉｏｎ）によって変わり得る。ＣＰには、拡張されたＣＰ（ｅｘｔｅｎｄｅｄ  ＣＰ）と正規ＣＰ（ｎｏｒｍａｌ  ＣＰ）とがある。例えば、ＯＦＤＭシンボルが正規ＣＰによって構成された場合、一つのスロットに含まれるＯＦＤＭシンボルの数は７個であり得る。ＯＦＤＭシンボルが拡張されたＣＰによって構成された場合は、一つのＯＦＤＭシンボルの長さが増加するので、一つのスロットに含まれるＯＦＤＭシンボルの数は正規ＣＰの場合より少ない。拡張されたＣＰの場合、例えば、一つのスロットに含まれるＯＦＤＭシンボルの数は６個であり得る。端末が速い速度で移動する場合などのようにチャンネル状態が不安定である場合は、シンボル間の干渉をさらに減少させるために拡張されたＣＰを使用することができる。
【００４３】
正規ＣＰが使用される場合、一つのスロットは７個のＯＦＤＭシンボルを含むので、一つのサブフレームは１４個のＯＦＤＭシンボルを含む。このとき、各サブフレームの最初の２個または３個のＯＦＤＭシンボルはＰＤＣＣＨ（ｐｈｙｓｉｃａｌ  ｄｏｗｎｌｉｎｋ  ｃｏｎｔｒｏｌ  ｃｈａｎｎｅｌ）に割り当て、残りのＯＦＤＭシンボルはＰＤＳＣＨ（ｐｈｙｓｉｃａｌ  ｄｏｗｎｌｉｎｋ  ｓｈａｒｅｄ  ｃｈａｎｎｅｌ）に割り当てることができる。
【００４４】
図２（ｂ）は、タイプ２の無線フレームの構造を示す図である。タイプ２の無線フレームは、２個のハーフフレーム（ｈａｌｆ  ｆｒａｍｅ）で構成され、各ハーフフレームは、５個のサブフレーム、ＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ：ＧＰ）、ＵｐＰＴＳ（Ｕｐｌｉｎｋ  Ｐｉｌｏｔ  Ｔｉｍｅ  Ｓｌｏｔ）で構成され、一つのサブフレームは２個のスロットで構成される。ＤｗＰＴＳ、ＧＰ及びＵｐＰＴＳで構成されるサブフレームは、特別なサブフレーム（ｓｐｅｃｉａｌ  ｓｕｂｆｒａｍｅ）と称することができる。ＤｗＰＴＳは、端末での初期セル探索、同期化またはチャンネル推定に使用される。ＵｐＰＴＳは、基地局でチャンネルを推定し、端末のアップリンク伝送同期を合わせるのに使用される。保護区間は、アップリンクとダウンリンクとの間において、ダウンリンク信号の多重経路遅延によってアップリンクで生じる干渉を除去するための区間である。一方、無線フレームのタイプとは関係なく、１個のサブフレームは２個のスロットで構成される。
【００４５】
無線フレームは、デュプレックスモードによって異なる形に構成することができる。例えば、ＦＤＤモードにおいて、ダウンリンク伝送及びアップリンク伝送は周波数によって区分されるので、無線フレームは、特定の周波数帯域に対してダウンリンクサブフレーム及びアップリンクサブフレームのうち一つのみを含む。ＴＤＤモードにおいて、ダウンリンク伝送及びアップリンク伝送は時間によって区分されるので、特定の周波数帯域に対して、無線フレームはダウンリンクサブフレームとアップリンクサブフレームを全て含む。
【００４６】
表１は、ＴＤＤモードにおいて、無線フレーム内の各サブフレームのＤＬ―ＵＬ構成を例示したものである。
【００４７】
【表１】
2016515334.tif 000003
【００４８】
前記表１において、Ｄは、ダウンリンクサブフレームを示し、Ｕは、アップリンクサブフレームを示し、Ｓは、特別なサブフレームを示す。特別なサブフレームは、ＤｗＰＴＳ（Ｄｏｗｎｌｉｎｋ  Ｐｉｌｏｔ  ＴｉｍｅＳｌｏｔ）、ＧＰ（Ｇｕａｒｄ  Ｐｅｒｉｏｄ）、ＵｐＰＴＳ（Ｕｐｌｉｎｋ  Ｐｉｌｏｔ  ＴｉｍｅＳｌｏｔ）の３個フィールドを含む。ＤｗＰＴＳは、ダウンリンク伝送用に留保される時間区間であり、ＵｐＰＴＳは、アップリンク伝送用に留保される時間区間である。表２は、特別なフレームの構成を例示したものである。
【００４９】
【表２】
2016515334.tif 000004
【００５０】
無線フレームの構造は例示に過ぎず、無線フレームに含まれるサブフレームの数、サブフレームに含まれるスロットの数、またはスロットに含まれるシンボルの数は多様に変更可能である。
【００５１】
図３は、ダウンリンクスロットでの資源グリッド（ｒｅｓｏｕｒｃｅ  ｇｒｉｄ）を示す図である。
【００５２】
一つのダウンリンクスロットは、時間領域で７個のＯＦＤＭシンボルを含み、一つの資源ブロック（ＲＢ）は周波数領域で１２個の副搬送波を含むことが示されているが、本発明がこれに制限されることはない。例えば、正規ＣＰ（Ｃｙｃｌｉｃ  Ｐｒｅｆｉｘ）の場合は一つのスロットが７ＯＦＤＭシンボルを含むが、拡張されたＣＰ（ｅｘｔｅｎｄｅｄ―ＣＰ）の場合は一つのスロットが６ＯＦＤＭシンボルを含むことができる。資源グリッド上のそれぞれの要素は、資源要素（ｒｅｓｏｕｒｃｅ  ｅｌｅｍｅｎｔ）という。一つの資源ブロックは１２×７の資源要素を含む。ダウンリンクスロットに含まれる各資源ブロックのＮDLの個数は、ダウンリンク伝送帯域幅による。アップリンクスロットの構造は、ダウンリンクスロットの構造と同一であり得る。
【００５３】
図４（ａ）は、ダウンリンクサブフレームの構造を示す図である。
【００５４】
一つのサブフレーム内で１番目のスロットの前部分の最大３個のＯＦＤＭシンボルは、制御チャンネルが割り当てられる制御領域に該当する。残りのＯＦＤＭシンボルは、物理ダウンリンク共有チャンネル（Ｐｈｙｓｉｃａｌ  Ｄｏｗｎｌｉｎｋ  Ｓｈａｒｅｄ  Ｃｈａｎｃｅｌ：ＰＤＳＣＨ）が割り当てられるデータ領域に該当する。
【００５５】
３ＧＰＰ  ＬＴＥシステムで使用される各ダウンリンク制御チャンネルとしては、例えば、物理制御フォーマット指示子チャンネル（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ：ＰＣＦＩＣＨ）、物理ダウンリンク制御チャンネル（Ｐｈｙｓｉｃａｌ  Ｄｏｗｎｌｉｎｋ  Ｃｏｎｔｒｏｌ  Ｃｈａｎｎｅｌ：ＰＤＣＣＨ）、物理ＨＡＲＱ指示子チャンネル（Ｐｈｙｓｉｃａｌ  Ｈｙｂｒｉｄ  ａｕｔｏｍａｔｉｃ  ｒｅｐｅａｔ  ｒｅｑｕｅｓｔ  Ｉｎｄｉｃａｔｏｒ  Ｃｈａｎｎｅｌ：ＰＨＩＣＨ）などがある。ＰＣＦＩＣＨは、サブフレームの１番目のＯＦＤＭシンボルで伝送され、サブフレーム内の制御チャンネル伝送に使用されるＯＦＤＭシンボルの個数に対する情報を含む。ＰＨＩＣＨは、アップリンク伝送の応答としてＨＡＲＱ  ＡＣＫ／ＮＡＣＫ信号を含む。
【００５６】
ＰＤＣＣＨを介して伝送される制御情報をダウンリンク制御情報（Ｄｏｗｎｌｉｎｋ  Ｃｏｎｔｒｏｌ  Ｉｎｆｏｒｍａｔｉｏｎ：ＤＣＩ）と言う。ＤＣＩは、アップリンクまたはダウンリンクスケジューリング情報を含むか、任意の端末グループに対するアップリンク伝送電力制御命令（ＴＰＣ  ｃｏｍｍａｎｄ）を含む。ＰＤＣＣＨは、ダウンリンク共有チャンネル（ＤＬ―ＳＣＨ）の資源割り当て及び伝送フォーマット、アップリンク共有チャンネル（ＵＬ―ＳＣＨ）の資源割り当て情報、ページングチャンネル（ＰＣＨ）のページング情報、ＤＬ―ＳＣＨ上のシステム情報、ＰＤＳＣＨ上に伝送される任意接続応答（Ｒａｎｄｏｍ  Ａｃｃｅｓｓ  Ｒｅｓｐｏｎｓｅ）などの上位階層制御メッセージの資源割り当て、任意の端末グループ内の個別端末に対する伝送電力制御命令のセット、伝送電力制御情報、ＶｏＩＰ（Ｖｏｉｃｅ  ｏｖｅｒ  ＩＰ）の活性化などを含むことができる。複数のＰＤＣＣＨを制御領域内で伝送することができ、端末は複数のＰＤＣＣＨをモニタリングすることができる。
【００５７】
ＤＣＩフォーマットの情報コンテンツまたは用途は、次に示す通りである。
【００５８】
―ＤＣＩフォーマット０：ＰＵＳＣＨ（Ｐｈｙｓｉｃａｌ  Ｕｐｌｉｎｋ  Ｓｈａｒｅｄ  Ｃｈａｎｎｅｌ）伝送のための資源割り当て情報シグナリング。
【００５９】
―ＤＣＩフォーマット１：単一のコードワードＰＤＳＣＨ（Ｐｈｙｓｉｃａｌ  Ｄｏｗｎｌｉｎｋ  Ｓｈａｒｅｄ  Ｃｈａｎｎｅｌ）伝送のための資源割り当て情報シグナリング。
【００６０】
―ＤＣＩフォーマット１Ａ：単一のコードワードＰＤＳＣＨ伝送のための資源割り当て情報のコンパクト（ｃｏｍｐａｃｔ）シグナリング。
【００６１】
―ＤＣＩフォーマット１Ｂ：ランク―１閉鎖ループ（ｃｌｏｓｅｄ  ｌｏｏｐ）プリコーディングを使用するＰＤＳＣＨ伝送のための資源割り当て情報のコンパクトシグナリング。
【００６２】
―ＤＣＩフォーマット１Ｃ：（例えば、ページング、またはシステム情報のブロードキャスティングのための）ＰＤＳＣＨ伝送のための資源割り当て情報のベリーコンパクト（ｖｅｒｙ  ｃｏｍｐａｃｔ）シグナリング。
【００６３】
―ＤＣＩフォーマット１Ｄ：多重―使用者ＭＩＭＯ（Ｍｕｌｔｉｐｌｅ  Ｉｎｐｕｔ  Ｍｕｌｔｉｐｌｅ  Ｏｕｔｐｕｔ）を使用するＰＤＳＣＨ伝送のための資源割り当て情報のコンパクトシグナリング。
【００６４】
―ＤＣＩフォーマット２：閉鎖ループＭＩＭＯ動作のためのＰＤＳＣＨ資源割り当て情報のシグナリング。
【００６５】
―ＤＣＩフォーマット２Ａ：開放ループ（ｏｐｅｎ  ｌｏｏｐ）ＭＩＭＯ動作のためのＰＤＳＣＨ資源割り当て情報のシグナリング。
【００６６】
―ＤＣＩフォーマット２Ｂ：ＤＭＲＳ（ＤｅＭｏｄｕｌａｔｉｏｎ  Ｒｅｆｅｒｅｎｃｅ  Ｓｉｇｎａｌ）を使用する二重レイヤー（ｄｕａｌ  ｌａｙｅｒ）伝送のための資源割り当て情報のシグナリング。
【００６７】
―ＤＣＩフォーマット２Ｃ：ＤＭＲＳを使用する閉鎖ループ空間多重化伝送のための資源割り当て情報のシグナリング。
【００６８】
―ＤＣＩフォーマット２Ｄ：ＣｏＭＰ（Ｃｏｏｒｄｉｎａｔｅｄ  Ｍｕｌｔｉｐｏｉｎｔ）動作をサポートするための資源割り当て情報のシグナリング。
【００６９】
―ＤＣＩフォーマット３／３Ａ：２―ビットまたは１―ビット電力調整情報を含むＰＵＣＣＨ／ＰＵＳＣＨ電力制御命令のためのシグナリング。
【００７０】
―ＤＣＩフォーマット４：多重アンテナポート伝送モードをサポートする一つのアップリンクセルに対するアップリンクスケジューリングのためのシグナリング。
【００７１】
ＰＤＣＣＨは、一つ以上の連続する制御チャンネル要素（Ｃｏｎｔｒｏｌ  Ｃｈａｎｎｅｌ  Ｅｌｅｍｅｎｔ：ＣＣＥ）の組み合わせ（ａｇｇｒｅｇａｔｉｏｎ）で伝送される。ＣＣＥは、無線チャンネルの状態に基づいたコーディングレートでＰＤＣＣＨを提供するために使用される論理割り当て単位である。ＣＣＥは、複数の資源要素グループに対応する。ＰＤＣＣＨのフォーマットと利用可能なビット数は、ＣＣＥの個数とＣＣＥによって提供されるコーディングレートとの間の相関関係によって決定される。
【００７２】
基地局は、端末に伝送されるＤＣＩによってＰＤＣＣＨフォーマットを決定し、制御情報に循環余剰検査（Ｃｙｃｌｉｃ  Ｒｅｄｕｎｄａｎｃｙ  Ｃｈｅｃｋ：ＣＲＣ）を付加する。ＣＲＣは、ＰＤＣＣＨの所有者または用途によって無線ネットワーク臨時識別子（Ｒａｄｉｏ  Ｎｅｔｗｏｒｋ  Ｔｅｍｐｏｒａｒｙ  Ｉｄｅｎｔｉｆｉｅｒ：ＲＮＴＩ）という識別子でマスキングされる。ＰＤＣＣＨが特定の端末に対するものであると、端末のｃｅｌｌ―ＲＮＴＩ（Ｃ―ＲＮＴＩ）識別子がＣＲＣにマスキングされ得る。または、ＰＤＣＣＨがページングメッセージに対するものであると、ページング指示子識別子（Ｐａｇｉｎｇ  Ｉｎｄｉｃａｔｏｒ  Ｉｄｅｎｔｉｆｉｅｒ：Ｐ―ＲＮＴＩ）がＣＲＣにマスキングされ得る。ＰＤＣＣＨがシステム情報（より具体的に、システム情報ブロック（ＳＩＢ））に対するものであると、システム情報識別子及びシステム情報ＲＮＴＩ（ＳＩ―ＲＮＴＩ）がＣＲＣにマスキングされ得る。端末の任意接続プリアンブルの伝送に対する応答である任意接続応答を示すために、任意接続―ＲＮＴＩ（ＲＡ―ＲＮＴＩ）がＣＲＣにマスキングされ得る。
【００７３】
図４（ｂ）は、アップリンクサブフレームの構造を示す図である。
【００７４】
アップリンクサブフレームは、周波数領域で制御領域とデータ領域とに分割することができる。制御領域には、アップリンク制御情報を含む物理アップリンク制御チャンネル（Ｐｈｙｓｉｃａｌ  Ｕｐｌｉｎｋ  Ｃｏｎｔｒｏｌ  Ｃｈａｎｎｅｌ：ＰＵＣＣＨ）が割り当てられる。データ領域には、使用者データを含む物理アップリンク共有チャンネル（Ｐｈｙｓｉｃａｌ  ｕｐｌｉｎｋ  ｓｈａｒｅｄ  ｃｈａｎｎｅｌ：ＰＵＳＣＨ）が割り当てられる。単一の搬送波特性を維持するために、一つの端末はＰＵＣＣＨとＰＵＳＣＨを同時に伝送しない。一つの端末に対するＰＵＣＣＨは、サブフレームで資源ブロックペア（ＲＢ  ｐａｉｒ）に割り当てられる。資源ブロックペアに属する各資源ブロックは、２スロットに対して異なる副搬送波を占める。これは、ＰＵＣＣＨに割り当てられる資源ブロックペアがスロット境界で周波数―ホッピング（ｆｒｅｑｕｅｎｃｙ―ｈｏｐｐｅｄ）されることを示す。
【００７５】
ハイブリッド自動再伝送要求（ＨＡＲＱ）動作
【００７６】
データの受信失敗に対する制御方法には、次のようなＨＡＲＱ動作を適用することができる。データ送信側で一つのパケットを伝送した後、データ受信側からＡＣＫ信号を受信すると、新たなパケットを伝送し、ＮＡＣＫ信号を受信すると、既に伝送されたパケットを再伝送することができる。このとき、順方向エラー訂正（ＦＥＣ：Ｆｏｒｗａｒｄ  Ｅｒｒｏｒ  Ｃｏｒｒｅｃｔｉｏｎ）機能によるエンコーディングが適用されたパケットを再伝送することができる。したがって、データ受信側では、一つのパケットを受信してデコーディングした結果、デコーディングに成功した場合はＡＣＫ信号を伝送し、デコーディングに失敗した場合はＮＡＣＫを伝送し、バッファーに受信されたパケットを保存する。そして、前記ＮＡＣＫ信号による再伝送パケットが受信されると、前記バッファーに受信されたパケットと結合してデコーディングを行うことによって、パケットの受信成功率を高めるようになる。
【００７７】
ＨＡＲＱ方式は、再伝送するタイミングによって、同期式（ｓｙｎｃｈｒｏｎｏｕｓ）ＨＡＲＱ方式と非同期式（ａｓｙｎｃｈｒｏｎｏｕｓ）ＨＡＲＱ方式とに区分することができる。同期式ＨＡＲＱ方式において、初期伝送に失敗した場合、以後の再伝送は、システムによって定められた時点に行われる。例えば、初期伝送に失敗した後、毎４番目の時間単位（例えば、サブフレーム）に再伝送が行われるように定められた場合は、追加的に再伝送時点に対する情報を受信側に知らせる必要がない。したがって、データ送信側でＮＡＣＫ信号を受信した場合、ＡＣＫ信号を受け取るまで毎４番目の時間単位にパケットを再伝送する。一方、非同期式ＨＡＲＱ方式によると、再伝送時点に関する情報が別途にスケジューリングされる。したがって、ＮＡＣＫ信号に相応するパケットの再伝送時点は、チャンネル状態などの多様な要件によって変更可能である。
【００７８】
また、再伝送時に使用する資源の量に対してチャンネル状態を反映するか否かによって適応的（ａｄａｐｔｉｖｅ）ＨＡＲＱ方式と非適応的（ｎｏｎ―ａｄａｐｔｉｖｅ）ＨＡＲＱ方式とに区分することができる。非適応的ＨＡＲＱ方式では、再伝送されるパケットのＭＣＳレベル、使用される資源ブロックの数などが初期伝送時に定められた通りに行われる。例えば、送信側で初期送信時に８個の資源ブロックを用いてデータを伝送すると、以後の再伝送時にも同一に８個の資源ブロックを用いて再伝送する。一方、適応的方式は、パケットの変調方式、使用される資源ブロックの数などがチャンネル状態によって変更可能である方式である。例えば、初期に８個を用いて伝送が行われた場合にも、その後、チャンネル状態に応じては、８個より大きい数または８個より小さい数の資源ブロックを用いて再伝送することができる。
【００７９】
上述したようなＨＡＲＱを通じたデータパケット伝送動作において、送信端では、データパケットを所定のサイズのサブパケット（ｓｕｂ―ｐａｃｋｅｔ）に変換し、サブパケット単位で初期伝送及び再伝送を行うことができる。受信端では、多数のサブパケットを結合してデータパケットのデコーディングを試みることができる。
【００８０】
ＨＡＲＱ方式による初期伝送と再伝送に使用される多数のサブパケットは、一つのコードワードパケットから生成される。このときに生成された多数のサブパケットは、サブパケットの長さとサブパケットの開始位置でその区別が可能である。このように区別が可能なサブパケットをリダンダンシーバージョン（ｒｅｄｕｎｄａｎｃｙ  ｖｅｒｓｉｏｎ：ＲＶ）という。受信端では、異なる各ＲＶを受信して結合することによって、全体のコードワードのデコーディングを試みることができる。例えば、受信すべき全体のコードワードパケットと既に受信されたサブパケットとの差だけを受信し、デコーディングを試みる方式でＨＡＲＱ動作が行われ得るが、このような方式を増分リダンダンシー（Ｉｎｃｒｅｍｅｎｔａｌ  Ｒｅｄｕｎｄａｎｃｙ：ＩＲ）方式のＨＡＲＱ動作と称することができる。
【００８１】
ＴＤＤ  ＨＡＲＱ
【００８２】
以下、図５〜図１１を参照して、単一のキャリア（あるいはセル）状況でのＴＤＤ信号伝送タイミングについて説明する。
【００８３】
図５〜図６は、ＰＤＳＣＨ―ＵＬ  ＡＣＫ／ＮＡＣＫタイミングを示す。ここで、ＵＬ  ＡＣＫ／ＮＡＣＫは、ＤＬデータ（例えば、ＰＤＳＣＨ）に対する応答としてアップリンクで伝送されるＡＣＫ／ＮＡＣＫを意味する。
【００８４】
図５を参照すると、端末は、Ｍ個のＤＬサブフレーム（Ｓｕｂｆｒａｍｅ、ＳＦ）上で一つ以上のＰＤＳＣＨ信号を受信することができる（Ｓ５０２＿０〜Ｓ５０２＿Ｍ―１）。それぞれのＰＤＳＣＨ信号は、伝送モードによって一つまたは複数（例えば、２個）の伝送ブロック（ＴＢ）を伝送するのに使用される。また、図示していないが、段階Ｓ５０２＿０〜Ｓ５０２＿Ｍ―１において、ＳＰＳ解除（Ｓｅｍｉ―Ｐｅｒｓｉｓｔｅｎｔ  Ｓｃｈｅｄｕｌｉｎｇ  ｒｅｌｅａｓｅ）を指示するＰＤＣＣＨ信号も受信することができる。Ｍ個のＤＬサブフレームにＰＤＳＣＨ信号及び／またはＳＰＳ解除ＰＤＣＣＨ信号が存在すると、端末は、ＡＣＫ／ＮＡＣＫを伝送するための過程（例えば、ＡＣＫ／ＮＡＣＫ（ペイロード）生成、ＡＣＫ／ＮＡＣＫ資源割り当てなど）を経て、Ｍ個のＤＬサブフレームに対応する一つのＵＬサブフレームを介してＡＣＫ／ＮＡＣＫを伝送する（Ｓ５０４）。ＡＣＫ／ＮＡＣＫは、段階Ｓ５０２＿０〜Ｓ５０２＿Ｍ―１のＰＤＳＣＨ信号及び／またはＳＰＳ解除ＰＤＣＣＨ信号に対する受信応答情報を含む。ＡＣＫ／ＮＡＣＫは、基本的にＰＵＣＣＨを介して伝送されるが、ＡＣＫ／ＮＡＣＫ伝送時点にＰＵＳＣＨ伝送がある場合、ＡＣＫ／ＮＡＣＫはＰＵＳＣＨを介して伝送される。ＡＣＫ／ＮＡＣＫ伝送のために多様なＰＵＣＣＨフォーマットを使用することができる。また、ＰＵＣＣＨフォーマットを介して伝送されるＡＣＫ／ＮＡＣＫビット数を減少させるために、ＡＣＫ／ＮＡＣＫバンドリング（ｂｕｎｄｌｉｎｇ）、ＡＣＫ／ＮＡＣＫチャンネル選択（ｃｈａｎｎｅｌ  ｓｅｌｅｃｔｉｏｎ）などの多様な方法を使用することができる。
【００８５】
上述したように、ＴＤＤでは、Ｍ個のＤＬサブフレームで受信したデータに対するＡＣＫ／ＮＡＣＫが一つのＵＬサブフレームを介して伝送され（すなわち、Ｍ  ＤＬ  ＳＦ（ｓ）：１  ＵＬ  ＳＦ）、これら間の関係はＤＡＳＩ（Ｄｏｗｎｌｉｎｋ  Ａｓｓｏｃｉａｔｉｏｎ  Ｓｅｔ  Ｉｎｄｅｘ）によって与えられる。
【００８６】
表３は、ＬＴＥ（―Ａ）に定義されたＤＡＳＩ（Ｋ：｛ｋ0，ｋ1，…，ｋM―1｝）を示す。表３は、ＡＣＫ／ＮＡＣＫを伝送するＵＬサブフレームの立場で、自身と関連したＤＬサブフレームとの間隔を示す。具体的に、サブフレームｎ―ｋ（ｋ∈Ｋ）にＰＤＳＣＨ伝送及び／またはＳＰＳ解除（Ｓｅｍｉ―Ｐｅｒｓｉｓｔｅｎｔ  Ｓｃｈｅｄｕｌｉｎｇ  ｒｅｌｅａｓｅ）を指示するＰＤＣＣＨがある場合、端末は、サブフレームｎでＡＣＫ／ＮＡＣＫを伝送する。
【００８７】
【表３】
2016515334.tif 000005
【００８８】
図６は、ＵＬ―ＤＬ構成＃１が設定された場合のＵＬ  ＡＣＫ／ＮＡＣＫ伝送タイミングを例示する。図面において、ＳＦ＃０〜＃９及びＳＦ＃１０〜＃１９は、それぞれ無線フレームに対応する。図面において、ボックス内の数字は、ＤＬサブフレームの観点で、自身と関連したＵＬサブフレームを示す。例えば、ＳＦ＃５のＰＤＳＣＨに対するＡＣＫ／ＮＡＣＫはＳＦ＃５＋７（＝ＳＦ＃１２）で伝送され、ＳＦ＃６のＰＤＳＣＨに対するＡＣＫ／ＮＡＣＫはＳＦ＃６＋６（＝ＳＦ＃１２）で伝送される。したがって、ＳＦ＃５／ＳＦ＃６のダウンリンク信号に対するＡＣＫ／ＮＡＣＫは、全てＳＦ＃１２で伝送される。同様に、ＳＦ＃１４のＰＤＳＣＨに対するＡＣＫ／ＮＡＣＫはＳＦ＃１４＋４（＝ＳＦ＃１８）で伝送される。
【００８９】
図７〜図８は、ＰＨＩＣＨ／ＵＬグラント（ＵＬ  ｇｒａｎｔ、ＵＧ）―ＰＵＳＣＨタイミングを示す。ＰＵＳＣＨは、ＰＤＣＣＨ（ＵＬグラント）及び／またはＰＨＩＣＨ（ＮＡＣＫ）に対応して伝送することができる。
【００９０】
図７を参照すると、端末は、ＰＤＣＣＨ（ＵＬグラント）及び／またはＰＨＩＣＨ（ＮＡＣＫ）を受信することができる（Ｓ７０２）。ここで、ＮＡＣＫは、以前のＰＵＳＣＨ伝送に対するＡＣＫ／ＮＡＣＫ応答に該当する。この場合、端末は、ＰＵＳＣＨ伝送のための過程（例えば、ＴＢ符号化、ＴＢ―ＣＷスワッピング、ＰＵＳＣＨ資源割り当てなど）を経て、ｋサブフレーム以後にＰＵＳＣＨを介して一つまたは複数の伝送ブロック（ＴＢ）を初期伝送／再伝送することができる（Ｓ７０４）。本例は、ＰＵＳＣＨが１回伝送される普通の（ｎｏｒｍａｌ）ＨＡＲＱ動作を仮定する。この場合、ＰＵＳＣＨ伝送に対応するＰＨＩＣＨ／ＵＬグラントは、同一のサブフレームに存在する。ただし、ＰＵＳＣＨが複数のサブフレームを介して複数回伝送されるサブフレームバンドリングの場合、ＰＵＳＣＨ伝送に対応するＰＨＩＣＨ／ＵＬグラントは互いに異なるサブフレームで存在し得る。
【００９１】
表４は、ＬＴＥ（―Ａ）においてＰＵＳＣＨ伝送のためのＵＡＩ（Ｕｐｌｉｎｋ  Ａｓｓｏｃｉａｔｉｏｎ  Ｉｎｄｅｘ）（ｋ）を示す。表４は、ＰＨＩＣＨ／ＵＬグラントが検出されたＤＬサブフレームの立場で、自身と関連したＵＬサブフレームとの間隔を示す。具体的には、サブフレームｎでＰＨＩＣＨ／ＵＬグラントが検出されると、端末は、サブフレームｎ＋ｋでＰＵＳＣＨを伝送することができる。
【００９２】
【表４】
2016515334.tif 000006
【００９３】
図８は、ＵＬ―ＤＬ構成＃１が設定された場合のＰＵＳＣＨ伝送タイミングを例示する。図面において、ＳＦ＃０〜＃９及びＳＦ＃１０〜＃１９はそれぞれ無線フレームに対応する。図面におけるボックス内の数字は、ＤＬサブフレームの観点で、自身と関連したＵＬサブフレームを示す。例えば、ＳＦ＃６のＰＨＩＣＨ／ＵＬグラントに対するＰＵＳＣＨはＳＦ＃６＋６（＝ＳＦ＃１２）で伝送され、ＳＦ＃１４のＰＨＩＣＨ／ＵＬグラントに対するＰＵＳＣＨはＳＦ＃１４＋４（＝ＳＦ＃１８）で伝送される。
【００９４】
図９〜図１０は、ＰＵＳＣＨ―ＰＨＩＣＨ／ＵＬグラントタイミングを示す。ＰＨＩＣＨは、ＤＬ  ＡＣＫ／ＮＡＣＫを伝送するのに使用される。ここで、ＤＬ  ＡＣＫ／ＮＡＣＫは、ＵＬデータ（例えば、ＰＵＳＣＨ）に対する応答としてダウンリンクで伝送されるＡＣＫ／ＮＡＣＫを意味する。
【００９５】
図９を参照すると、端末は、基地局にＰＵＳＣＨ信号を伝送する（Ｓ９０２）。ここで、ＰＵＳＣＨ信号は、伝送モードによって一つまたは複数（例えば、２個）の伝送ブロック（ＴＢ）を伝送するのに使用される。ＰＵＳＣＨ伝送に対する応答として、基地局は、ＡＣＫ／ＮＡＣＫを伝送するための過程（例えば、ＡＣＫ／ＮＡＣＫ生成、ＡＣＫ／ＮＡＣＫ資源割り当てなど）を経て、ｋサブフレーム以後にＰＨＩＣＨを介してＡＣＫ／ＮＡＣＫを端末に伝送することができる（Ｓ９０４）。ＡＣＫ／ＮＡＣＫは、段階Ｓ９０２のＰＵＳＣＨ信号に対する受信応答情報を含む。また、ＰＵＳＣＨ伝送に対する応答がＮＡＣＫである場合、基地局は、ｋサブフレーム以後にＰＵＳＣＨ再伝送のためのＵＬグラントＰＤＣＣＨを端末に伝送することができる（Ｓ９０４）。本例は、ＰＵＳＣＨが１回伝送される普通のＨＡＲＱ動作を仮定する。この場合、ＰＵＳＣＨ伝送に対応するＰＨＩＣＨ／ＵＬグラントは同一のサブフレームで伝送することができる。ただし、サブフレームバンドリングの場合、ＰＵＳＣＨ伝送に対応するＰＨＩＣＨ／ＵＬグラントは、互いに異なるサブフレームで伝送することができる。
【００９６】
表５は、ＬＴＥ（―Ａ）においてＰＨＩＣＨ／ＵＬグラント伝送のためのＵＡＩ（Ｕｐｌｉｎｋ  Ａｓｓｏｃｉａｔｉｏｎ  Ｉｎｄｅｘ）（ｋ）を示す。表５は、ＰＨＩＣＨ／ＵＬグラントが存在するＤＬサブフレームの立場で、自身と関連したＵＬサブフレームとの間隔を示す。具体的に、サブフレームｉのＰＨＩＣＨ／ＵＬグラントは、サブフレームｉ―ｋのＰＵＳＣＨ伝送に対応する。
【００９７】
【表５】
2016515334.tif 000007
【００９８】
図１０は、ＵＬ―ＤＬ構成＃１が設定された場合のＰＨＩＣＨ／ＵＬグラント伝送タイミングを例示する。図面において、ＳＦ＃０〜＃９及びＳＦ＃１０〜＃１９は、それぞれ無線フレームに対応する。図面においてボックス内の数字は、ＵＬサブフレームの観点で、自身と関連したＤＬサブフレームを示す。例えば、ＳＦ＃２のＰＵＳＣＨに対するＰＨＩＣＨ／ＵＬグラントはＳＦ＃２＋４（＝ＳＦ＃６）で伝送され、ＳＦ＃８のＰＵＳＣＨに対するＰＨＩＣＨ／ＵＬグラントはＳＦ＃８＋６（＝ＳＦ＃１４）で伝送される。
【００９９】
次に、ＰＨＩＣＨ資源割り当てについて説明する。サブフレーム＃ｎでＰＵＳＣＨ伝送があると、端末は、サブフレーム＃（ｎ＋ｋPHICH）で対応するＰＣＨＩＨ資源を決定する。ＦＤＤにおいて、ｋPHICHは固定された値（例えば、４）を有する。ＴＤＤにおいて、ｋPHICHは、ＵＬ―ＤＬ構成によって異なる値を有する。表６は、ＴＤＤのためのｋPHICH値を示し、表５と等価である。
【０１００】
【表６】
2016515334.tif 000008
【０１０１】
ＰＨＩＣＨ資源は、［ＰＨＩＣＨグループインデックス、直交シーケンスインデックス］によって与えられる。ＰＨＩＣＨグループインデックスと直交シーケンスインデックスは、（ｉ）ＰＵＳＣＨ伝送に使用される最も小さいＰＲＢインデックスと、（ｉｉ）ＤＭＲＳ（ＤｅＭｏｄｕｌａｔｉｏｎ  Ｒｅｆｅｒｅｎｃｅ  Ｓｉｇｎａｌ）サイクリックシフトのための３―ビットフィールドの値を用いて決定される。（ｉ）（ｉｉ）は、ＵＬグラントＰＤＣＣＨによって指示される。
【０１０２】
次に、ＨＡＲＱプロセスについて説明する。端末には、ＵＬ伝送のために複数の並列ＨＡＲＱプロセスが存在する。複数の並列ＨＡＲＱプロセスは、以前のＵＬ伝送に対する成功または非成功受信に対するＨＡＲＱフィードバックを待つ間、ＵＬ伝送が連続的に行われるようにする。それぞれのＨＡＲＱプロセスは、ＭＡＣ（Ｍｅｄｉｕｍ  Ａｃｃｅｓｓ  Ｃｏｎｔｒｏｌ）階層のＨＡＲＱバッファーと関連する。それぞれのＨＡＲＱプロセスは、バッファー内のＭＡＣ  ＰＤＵ（Ｐｈｙｓｉｃａｌ  Ｄａｔａ  Ｂｌｏｃｋ）の伝送回数、バッファー内のＭＡＣ  ＰＤＵに対するＨＡＲＱフィードバック、現在のリダンダンシーバージョン（ｒｅｄｕｎｄａｎｃｙ  ｖｅｒｓｉｏｎ）などに関する状態変数を管理する。
【０１０３】
ＬＴＥ（―Ａ）  ＦＤＤの場合、ノン―サブフレームバンドリング動作（すなわち、普通のＨＡＲＱ動作）のためのＵＬ  ＨＡＲＱプロセスの個数は８個である。一方、ＬＴＥ（―Ａ）  ＴＤＤの場合は、ＵＬ―ＤＬ構成によってＵＬサブフレームの個数が異なるので、ＵＬ  ＨＡＲＱプロセスの個数及びＨＡＲＱ  ＲＴＴ（Ｒｏｕｎｄ  Ｔｒｉｐ  Ｔｉｍｅ）もＵＬ―ＤＬ構成ごとに異なる形に設定される。ここで、ＨＡＲＱ  ＲＴＴは、ＵＬグラントを受信した時点から（これに対応する）ＰＵＳＣＨ伝送を経て（これに対応する）ＰＨＩＣＨが受信される時点までの時間間隔（例えば、ＳＦまたはｍｓ単位）、あるいはＰＵＳＣＨ伝送時点からこれに対応する再伝送時点までの時間間隔を意味し得る。
【０１０４】
ＵＬ  ＨＡＲＱプロセスの個数が変わる。サブフレームバンドリングが適用されると、ＦＤＤ及びＴＤＤで４つの連続したＵＬサブフレームで構成された一束のＰＵＳＣＨ伝送が行われる。したがって、サブフレームバンドリングが適用される場合のＨＡＲＱ動作／プロセスは、上述した普通のＨＡＲＱ動作／プロセスと異なる。
【０１０５】
表８は、ＴＤＤにおける同期式ＵＬ  ＨＡＲＱプロセスの個数及びＨＡＲＱ  ＲＴＴを示す。ＵＬ  ＨＡＲＱ  ＲＴＴが１０［ＳＦｓまたはｍｓ］である場合（ＵＬ―ＤＬ構成＃１、＃２、＃３、＃４、＃５）、一つのＵＬ  ＨＡＲＱプロセスは一つの固定されたＵＬ  ＳＦタイミングを使用する。その一方、ＵＬ  ＨＡＲＱ  ＲＴＴが１０［ＳＦｓまたはｍｓ］でない場合（ＵＬ―ＤＬ構成＃０、＃６）、一つのＵＬ  ＨＡＲＱプロセスは、（一つの固定されたＵＬ  ＳＦタイミングでない）複数のＵＬ  ＳＦタイミングを（ホッピングして）使用する。例えば、ＵＬ―ＤＬ構成＃６の場合、一つのＵＬ  ＨＡＲＱプロセスでのＰＵＳＣＨ伝送タイミングは、次に示す通りである：ＳＦ＃２：ＰＵＳＣＨ＝>ＳＦ＃１３：ＰＵＳＣＨ（ＲＴＴ：１１  ＳＦｓ）＝>ＳＦ＃２４：ＰＵＳＣＨ（ＲＴＴ：１１  ＳＦｓ）＝>ＳＦ＃３７：ＰＵＳＣＨ（ＲＴＴ：１３  ＳＦｓ）＝>ＳＦ＃４８：ＰＵＳＣＨ（ＲＴＴ：１１  ＳＦｓ）＝>ＳＦ＃５２：ＰＵＳＣＨ（ＲＴＴ：１４  ＳＦｓ）。
【０１０６】
【表７】
2016515334.tif 000009
【０１０７】
ＴＤＤ  ＵＬ―ＤＬ構成が＃１〜６で、普通のＨＡＲＱ動作が行われるとき、ＵＬグラントＰＤＣＣＨ及び／またはＰＨＩＣＨがサブフレームｎで検出されると、端末は、ＰＤＣＣＨ及び／またはＰＨＩＣＨ情報によってサブフレームｎ＋ｋ（表４参照）で対応するＰＵＳＣＨ信号を伝送する。
【０１０８】
ＴＤＤ  ＵＬ―ＤＬ構成が＃０で、普通のＨＡＲＱ動作が行われるとき、ＵＬ  ＤＣＩグラントＰＤＣＣＨ及び／またはＰＨＩＣＨがサブフレームｎで検出される場合、端末のＰＵＳＣＨ伝送タイミングは条件によって変わる。まず、ＤＣＩ内のＵＬインデックスのＭＳＢ（Ｍｏｓｔ  Ｓｉｇｎｉｆｉｃａｎｔ  Ｂｉｔ）が１であるか、ＰＨＩＣＨがサブフレーム＃０または＃５でＩPHICH＝０に対応する資源を通じて受信された場合、端末は、サブフレームｎ＋ｋ（表４参照）で対応するＰＵＳＣＨ信号を伝送する。次に、ＤＣＩ内のＵＬインデックスのＬＳＢ（Ｌｅａｓｔ  Ｓｉｇｎｉｆｉｃａｎｔ  Ｂｉｔ）が１であるか、ＰＨＩＣＨがサブフレーム＃０または＃５でＩPHICH＝１に対応する資源を通じて受信されたり、ＰＨＩＣＨがサブフレーム＃１または＃６で受信された場合、端末は、サブフレームｎ＋７で対応するＰＵＳＣＨ信号を伝送する。次に、ＤＣＩ内のＭＳＢとＬＳＢが全てセッティングされた場合、端末は、サブフレームｎ＋ｋ（表４参照）及びサブフレームｎ＋７で対応するＰＵＳＣＨ信号を伝送する。
【０１０９】
図１１は、ＵＬ―ＤＬ構成＃１が設定された場合の同期式ＵＬ  ＨＡＲＱプロセスを例示する。ボックス内の数字は、ＵＬ  ＨＡＲＱプロセス番号を例示する。本例は、普通のＵＬ  ＨＡＲＱプロセスを示す。図１１を参照すると、ＨＡＲＱプロセス＃１は、ＳＦ＃２、ＳＦ＃６、ＳＦ＃１２、ＳＦ＃１６に関与する。例えば、初期のＰＵＳＣＨ信号（例えば、ＲＶ＝０）がＳＦ＃２で伝送された場合、対応するＵＬグラントＰＤＣＣＨ及び／またはＰＨＩＣＨはＳＦ＃６で受信され、対応する（再伝送）ＰＵＳＣＨ信号（例えば、ＲＶ＝２）がＳＦ＃１２で伝送され得る。したがって、ＵＬ―ＤＬ構成＃１の場合、ＲＴＴ（Ｒｏｕｎｄ  Ｔｒｉｐ  Ｔｉｍｅ）が１０  ＳＦｓ（あるいは１０ｍｓ）である４個のＵＬ  ＨＡＲＱプロセスが存在する。
【０１１０】
伝送電力制御
【０１１１】
端末のアップリンク伝送電力を制御するために多様なパラメーターが用いられるが、これらパラメーターは、開放ループ電力制御パラメーター（Ｏｐｅｎ  Ｌｏｏｐ  Ｐｏｗｅｒ  Ｃｏｎｔｒｏｌ：ＯＬＰＣ）及び閉鎖ループ電力制御パラメーター（Ｃｌｏｓｅｄ  Ｌｏｏｐ  Ｐｏｗｅｒ  Ｃｏｎｔｒｏｌ：ＣＬＰＣ）に分類することができる。ＯＬＰＣは、端末が属するサービングセル（またはサービング基地局）からのダウンリンクの信号減殺を推定し、これを補償する形態で電力制御を行うための因子（ｆａｃｔｏｒ）と称することができ、例えば、端末から前記サービングセルまでの距離がより遠くなり、ダウンリンクの信号減殺が大きいと、アップリンクの伝送電力をより高める方式でアップリンク電力を制御することができる。ＣＬＰＣは、基地局でアップリンク伝送電力を調節するのに必要な情報（例えば、ＴＰＣ命令など）を直接伝達する方式でアップリンク電力を制御するのに用いられる。アップリンク伝送電力制御は、このようなＯＬＰＣとＣＬＰＣを共に考慮することによって行われる。
【０１１２】
具体的には、端末のＰＵＳＣＨ伝送のためのＰＵＳＣＨ伝送電力の決定について検討する。次の数式１は、サービングセルｃのサブフレームインデックスｉでのＰＵＣＣＨを同時に伝送せず、ＰＵＳＣＨのみを伝送する場合の端末の伝送電力を決定するための式である。
【０１１３】
【数１】
2016515334.tif 000010
【０１１４】
次の数式２は、サービングセルｃのサブフレームインデックスｉでＰＵＣＣＨとＰＵＳＣＨを同時に伝送する場合、ＰＵＳＣＨ伝送電力を決定するための式である。
【０１１５】
【数２】
2016515334.tif 000011
【０１１６】
【数３】
2016515334.tif 000012
【０１１７】
【数４】
2016515334.tif 000013
【０１１８】
【数５】
2016515334.tif 000014
【０１１９】
ＰＬＣは、端末がｄＢ単位で計算したダウンリンク経路損失（または信号損失）推定値であって、ＰＬＣ＝ｒｅｆｅｒｅｎｃｅＳｉｇｎａｌＰｏｗｅｒ−ｈｉｇｈｅｒ  ｌａｙｅｒ  ｆｉｌｔｅｒｅｄ  ＲＳＲＰ（ｒｅｆｅｒｅｎｃｅ  ｓｉｇｎａｌ  ｒｅｃｅｉｖｅｄ  ｐｏｗｅｒ）と表現され、ここで、ｒｅｆｅｒｅｎｃｅＳｉｇｎａｌＰｏｗｅｒは、基地局が上位レイヤーを通じて端末に知らせることができる。
【０１２０】
ｆｃ（ｉ）は、サブフレームインデックスｉに対する現在のＰＵＳＣＨ電力制御調整状態を示す値であって、現在の絶対値または累積された（ａｃｃｕｍｕｌａｔｅｄ）値と表現することができる。累積（ａｃｃｕｍｕｌａｔｉｏｎ）が上位階層から提供されるパラメーターＡｃｃｕｍｕｌａｔｉｏｎ―ｅｎａｂｌｅｄに基づいてイネーブルされたり、または、ＴＰＣ命令δＰＵＳＣＨ，ｃが、ＣＲＣが臨時Ｃ―ＲＮＴＩでスクランブリングされたサービングセルｃに対するＤＣＩフォーマット０と共にＰＤＣＣＨに含まれると、ｆｃ（ｉ）＝ｆｃ（ｉ−１）+δＰＵＳＣＨ，ｃ（ｉ−ＫＰＵＳＣＨ）を満足する。δＰＵＳＣＨ，ｃ（ｉ−ＫＰＵＳＣＨ）は、サブフレームｉ―ＫPUSCHでＤＣＩフォーマット０／４または３／３Ａと共にＰＤＣＣＨでシグナリングされ、ここで、ｆc（０）は、累積値のリセット（ｒｅｓｅｔ）後の１番目の値である。
【０１２１】
ＫPUSCHの値は、ＬＴＥ標準で次のように定義されている。
【０１２２】
ＦＤＤ（Ｆｒｅｑｕｅｎｃｙ  Ｄｉｖｉｓｉｏｎ  Ｄｕｐｌｅｘ）に対しては、ＫPUSCHの値は４である。ＴＤＤ  ＵＬ―ＤＬ  ｃｏｎｆｉｇｕｒａｔｉｏｎ  ０―６に対しては、ＫPUSCHの値は、次の表８に示す通りである。ＴＤＤ  ＵＬ―ＤＬ  ｃｏｎｆｉｇｕｒａｔｉｏｎ  ０に対しては、ＵＬインデックスのＬＳＢ（Ｌｅａｓｔ  Ｓｉｇｎｉｆｉｃａｎｔ  Ｂｉｔ）が１に設定され、サブフレーム２または７でＰＵＳＣＨ伝送がＤＣＩフォーマット０／４のＰＤＣＣＨと共にスケジューリングされると、ＫPUSCH＝７である。他のＰＵＳＣＨ伝送に対しては、ＫPUSCHの値は、次の表８に示す通りである。
【０１２３】
【表８】
2016515334.tif 000015
【０１２４】
ＤＲＸを除いて、毎サブフレームで、端末は、端末のＣ―ＲＮＴＩを有してＤＣＩフォーマット０／４のＰＤＣＣＨをデコーディングしたり、または、端末のＴＰＣ―ＰＵＳＣＨ―ＲＮＴＩを有してＤＣＩフォーマット３／３ＡのＰＤＣＣＨ及びＳＰＳ  Ｃ―ＲＮＴＩに対するＤＣＩフォーマットをデコーディングしようと試みる。サービングセルｃに対するＤＣＩフォーマット０／４及びＤＣＩフォーマット３／３Ａが同一のサブフレームで検出されると、端末は、ＤＣＩフォーマット０／４で提供されるδＰＵＳＣＨ，ｃを利用しなければならない。サービングセルｃのためにデコーディングされるＴＰＣ命令がないか、ＤＲＸが生じるか、または、ｉがＴＤＤでアップリンクサブフレームでないサブフレームに対してδＰＵＳＣＨ，ｃ＝０ｄＢである。
【０１２５】
ＤＣＩフォーマット０／４と共にＰＤＣＣＨ上でシグナリングされるδＰＵＳＣＨ，ｃ累積値は、次の表９に示す通りである。ＤＣＩフォーマット０と共にするＰＤＣＣＨがＳＰＳアクティベーション（ａｃｔｉｖａｔｉｏｎ）と認証（ｖａｌｉｄａｔｉｏｎ）されたり、ＰＤＣＣＨをリリース（ｒｅｌｅａｓｅ）すると、δＰＵＳＣＨ，ｃ＝０ｄＢである。ＤＣＩフォーマット３／３Ａと共にＰＤＣＣＨ上でシグナリングされるδＰＵＳＣＨ，ｃ累積値は、次の表９のＳＥＴ１の一つであるか、上位階層で提供されるＴＰＣ―インデックスパラメーターによって決定される次の表１０のＳＥＴ２の一つである。
【０１２６】
【表９】
2016515334.tif 000016
【０１２７】
【表１０】
2016515334.tif 000017
【０１２８】
サービングセルｃでの最大伝送電力ＰＣＭＡＸ，ｃ（ｉ）を超えると、サービングセルｃに対して正（ｐｏｓｉｔｉｖｅ）のＴＰＣ命令は累積されない。その一方、端末が最低電力に到逹すると、負（ｎｅｇａｔｉｖｅ）のＴＰＣ命令が累積されない。
【０１２９】
サービングセルｃに対して、ＰＯ＿ＵＥ＿ＰＵＳＣＨ，ｃ（ｊ）値が上位階層で変更されるとき、そして、プライマリーセル（ｐｒｉｍａｒｙ  ｃｅｌｌ）で端末がランダムアクセス（ｒａｎｄｏｍ  ａｃｃｅｓｓ）応答メッセージを受信するとき、端末は累積をリセットする。
【０１３０】
累積が上位階層から提供されるパラメーターＡｃｃｕｍｕｌａｔｉｏｎ―ｅｎａｂｌｅｄに基づいてイネーブルされないと、ｆｃ（ｉ）=δＰＵＳＣＨ，ｃ（ｉ−ＫＰＵＳＣＨ）を満足する。ここで、δＰＵＳＣＨ，ｃ（ｉ−ＫＰＵＳＣＨ）は、サブフレームｉ―ＫPUSCHでＤＣＩフォーマット０／４と共にＰＤＣＣＨでシグナリングされる。
【０１３１】
ＫPUSCHの値は、次に示す通りである。ＦＤＤ（Ｆｒｅｑｕｅｎｃｙ  Ｄｉｖｉｓｉｏｎ  Ｄｕｐｌｅｘ）に対しては、ＫPUSCHの値は４である。ＴＤＤ  ＵＬ―ＤＬ  ｃｏｎｆｉｇｕｒａｔｉｏｎ  １―６に対しては、ＫPUSCHの値は前記表８に示す通りである。ＴＤＤ  ＵＬ―ＤＬ   ｃｏｎｆｉｇｕｒａｔｉｏｎ  ０に対しては、ＵＬインデックスのＬＳＢ（Ｌｅａｓｔ  Ｓｉｇｎｉｆｉｃａｎｔ  Ｂｉｔ）が１に設定され、サブフレーム２または７でＰＵＳＣＨ伝送がＤＣＩフォーマット０／４のＰＤＣＣＨと共にスケジューリングされると、ＫPUSCH＝７である。他のＰＵＳＣＨ伝送に対しては、ＫPUSCHの値は前記表８に示す通りである。
【０１３２】
ＤＣＩフォーマット０／４と共にＰＤＣＣＨ上でシグナリングされるδＰＵＳＣＨ，ｃ累積値は、前記表９に示す通りである。ＤＣＩフォーマット０と共にするＰＤＣＣＨがＳＰＳアクティベーションと認証されたり、ＰＤＣＣＨをリリースすると、δＰＵＳＣＨ，ｃ＝０ｄＢである。
【０１３３】
サービングセルｃのためにデコーディングされるＤＣＩフォーマットと共にするＰＤＣＣＨがないか、ＤＲＸ（Ｄｉｓｃｏｎｔｉｎｕｅｄ  Ｒｅｃｅｐｔｉｏｎ）が発生するか、または、ｉがＴＤＤでアップリンクサブフレームでないサブフレームに対してｆｃ（ｉ）＝ｆｃ（ｉ−１）である。
【０１３４】
ｆｃ（＊）（累積または現在の絶対値）という二つのタイプに対して、１番目の値は次のように設定される。
【０１３５】
サービングセルｃに対して、ＰＯ＿ＵＥ＿ＰＵＳＣＨ，ｃ値が上位階層で変更されるとき、またはＰＯ＿ＵＥ＿ＰＵＳＣＨ，ｃ値が上位階層によって受信され、サービングセルｃがセカンダリーセルであると、ｆｃ（０）＝０である。これとは異なり、サービングセルがプライマリーセルであると、ｆｃ（０）＝ΔＰｒａｍｐｕｐ+δｍｓｇ２である。δｍｓｇ２は、ランダムアクセス応答で指示されるＴＰＣ命令であり、ΔＰｒａｍｐｕｐは、１番目から最後のプリアンブルまでの総電力ランプ―アップ（ｒａｍｐ―ｕｐ）に該当し、上位階層で提供される。
【０１３６】
また、本発明と関連して、アップリンク電力制御（ＵＬＰＣ）でＴＰＣ命令が累積モード（ａｃｃｕｍｕｌａｔｅｄ  ｍｏｄｅ）で動作するとき、累積値（ａｃｃｕｍｕｌａｔｅｄ  ｖａｌｕｅ）は、関連技術で次のように動作するようになっている。サービングセルｃに対して、ＰＯ＿ＵＥ＿ＰＵＳＣＨ，ｃ（ｊ）値が上位階層で変更されるとき、そして、プライマリーセルで、端末がランダムアクセス応答メッセージを受信するとき、端末は、次の場合に累積をリセットしなければならない。
【０１３７】
次の数式３は、ＰＵＣＣＨに対するアップリンク電力制御関連式である。
【０１３８】
【数６】
2016515334.tif 000018
【０１３９】
前記数式３において、ｉはサブフレームインデックスで、ｃはセルインデックスである。端末が二つのアンテナポート上でＰＵＣＣＨを伝送するように上位階層によって設定されている場合、ΔＴｘＤ（Ｆ’）の値は、上位階層によって端末に提供され、その他の場合は０である。以下で説明するパラメーターは、セルインデックスｃであるサービングセルに対するものである。
【０１４０】
ここで、ｉは、サブフレームインデックスを示し、ＰＣＭＡＸ，ｃ（ｉ）は、端末の伝送可能な最大電力を示し、ＰＯ＿ＰＵＣＣＨは、セル―特定（ｃｅｌｌ―ｓｐｅｃｉｆｉｃ）のパラメーターの和で構成されたパラメーターであって、基地局が上位階層シグナリングを通じて知らせる。また、ＰＬｃは、端末がｄＢ単位で計算したダウンリンク経路損失（または信号損失）推定値であって、ＰＬｃ＝ｒｅｆｅｒｅｎｃｅＳｉｇｎａｌＰｏｗｅｒ−ｈｉｇｈｅｒ  ｌａｙｅｒ  ｆｉｌｔｅｒｅｄ  ＲＳＲＰと表現される。ｈ（ｎ）は、ＰＵＣＣＨフォーマットによって変わる値を示し、ｎCQIは、チャンネル品質情報（ＣＱＩ）に対する情報ビットの数を示し、ｎHARQは、ＨＡＲＱビットの数を示す。ΔＦ＿ＰＵＣＣＨ（Ｆ）値は、ＰＵＣＣＨフォーマット１ａに対して相対的な値で、ＰＵＣＣＨフォーマット（Ｆ）に対応する値として基地局が上位階層シグナリングを通じて知らせる値である。
【０１４１】
【数７】
2016515334.tif 000019
【０１４２】
【数８】
2016515334.tif 000020
【０１４３】
【数９】
2016515334.tif 000021
【０１４４】
【数１０】
2016515334.tif 000022
【０１４５】
そして、ＰＵＣＣＨフォーマット３に対しては、端末が１１ビット以上のＨＡＲＱ―ＡＣＫ／ＮＡＣＫまたはＳＲ（Ｓｃｈｅｄｕｌｉｎｇ  Ｒｅｑｕｅｓｔ）を伝送する場合は、次の数式６のように示すことができ、そうでない場合は、次の数式７のように示すことができる。
【０１４６】
【数１１】
2016515334.tif 000023
【０１４７】
【数１２】
2016515334.tif 000024
【０１４８】
ＰＯ＿ＵＥ＿ＰＵＣＣＨ値が上位階層で変更されるときはｇ（０）＝０で、そうでない場合はｇ（０）＝ΔＰｒａｍｐｕｐ＋δｍｓｇ２である。δｓｍｇ２は、ランダムアクセス応答で指示されるＴＰＣ命令であり、ΔＰｒａｍｐｕｐは、上位階層で提供する１番目から最後のプリアンブルまでの総パワーランプ―アップに該当する。
【０１４９】
プライマリーセルｃでの伝送最大電力ＰＣＭＡＸ，ｃ（ｉ）に到逹すると、プライマリーセルｃに対して正のＴＰＣ命令が累積されない。その一方、端末が最低電力に到逹すると、負のＴＰＣ命令が累積されない。端末は、ＰＯ＿ＵＥ＿ＰＵＣＣＨ値が上位階層によって変更されたり、ランダムアクセス応答メッセージ（ｍｓｇ２）を受信するとき、累積をリセットする。
【０１５０】
一方、次の表１１及び表１２は、ＤＣＩフォーマットにおけるＴＰＣ命令フィールドでのδＰＵＣＣＨ値を示す。
【０１５１】
【表１１】
2016515334.tif 000025
【０１５２】
【表１２】
2016515334.tif 000026
【０１５３】
動的資源割り当て及びアップリンク電力制御方案
【０１５４】
本発明では、ＤＬ―ＵＬ資源を動的に用途変換する動作の改善方案であって、ＤＬ―ＵＬ干渉管理及びトラフィック適応（Ｉｎｔｅｒｆｅｒｅｎｃｅ  Ｍａｎａｇｅｍｅｎｔ  ａｎｄ  Ｔｒａｆｆｉｃ  Ａｄａｐｔａｔｉｏｎ：ＩＭＴＡ）をサポートするための各例示について提案する。特に、ＴＤＤ動作でＤＬ―ＵＬ設定を動的に設定する場合において、改善されたアップリンク電力制御方案を提供することを目的とする。
【０１５５】
ＤＬ―ＵＬ動的資源用途変換がサポートされる場合、ＤＬトラフィックとＵＬトラフィックのサイズが動的に変換される状況で、毎時点（または毎サブフレーム）で最適な資源分配をＤＬとＵＬとの間で行うことができる。
【０１５６】
例えば、ＦＤＤシステムは、周波数帯域（ｂａｎｄ）をＤＬ帯域とＵＬ帯域とに分割して運営するが、このような動的資源の用途変換のために、ｅＮＢは、ＲＲＣ（Ｒａｄｉｏ  Ｒｅｓｏｕｒｃｅ  Ｃｏｎｔｒｏｌ）階層、ＭＡＣ（Ｍｅｄｉｕｍ  Ａｃｃｅｓｓ  Ｃｏｎｔｒｏｌ）階層、または物理（ＰＨＹ）階層信号を通じて特定の時点で特定の帯域がＤＬ資源に割り当てられるのか、それともＵＬ資源に割り当てられるのかを指定することができる。
【０１５７】
一方、ＴＤＤシステムの場合は、全体のサブフレームをＵＬサブフレームとＤＬサブフレームとに分割し、これによって、それぞれのサブフレームをＵＥのＵＬ伝送またはｅＮＢのＤＬ伝送に使用することができる。このようなＵＬ―ＤＬ設定は、一般にシステム情報に含まれてＵＥに提供される。例えば、前記表１のようなＵＬ―ＤＬ設定のうちいずれか一つを半静的に適用することができる。もちろん、前記表１で定義するＵＬ―ＤＬ設定０〜６の他にも、追加的なＵＬ―ＤＬ設定を定義することもできる。ＴＤＤシステムの場合にも、動的資源の用途変換のために、ｅＮＢは、ＲＲＣ階層、ＭＡＣ階層、またはＰＨＹ階層信号を通じて特定の時点で特定のサブフレームがＤＬ資源に割り当てられるのか、それともＵＬ資源に割り当てられるのかを指定することができる。
【０１５８】
上述したように、既存のＬＴＥ／ＬＴＥ―Ａシステムにおいて、ＤＬ資源とＵＬ資源はシステム情報を通じて指定され、このようなシステム情報は、セル内の多数のＵＥに共通的に適用されるべき情報である。したがって、ＤＬ資源とＵＬ資源の設定を動的に変更／変換する場合は、各レガシー（ｌｅｇａｃｙ）ＵＥ（例えば、ＵＬ―ＤＬ設定の動的変更をサポートできない各ＵＥ）の動作に問題が発生することもある。したがって、このような動的資源の用途変換に対する情報の提供方案は、システム情報を伝達するシグナリング以外の、新たなシグナリングとして定義される必要があり、また、現在のｅＮＢへの連結を維持している各ＵＥに対するＵＥ―専用（またはＵＥ―特定）シグナリングとして定義されなければならない。このような新たなシグナリングを用いて動的資源の用途変換（例えば、ＴＤＤモードの場合、システム情報を通じて設定されたのと異なるＵＬ―ＤＬ設定を指定）を指示することもできる。
【０１５９】
また、動的資源の用途変換をサポートする新たなシグナリングには、ＨＡＲＱ関連情報を含ませることもできる。例えば、スケジューリングメッセージとこれによって決定されるＰＤＳＣＨ／ＰＵＳＣＨ送受信時点、これに対するＨＡＲＱ―ＡＣＫ／ＮＡＣＫ送受信時点などによって定義される一連のＨＡＲＱタイミング関係をＨＡＲＱタイムライン（ｔｉｍｅｌｉｎｅ）としたとき、動的資源の用途変換によってＨＡＲＱタイムラインが正しく維持され得ないという問題が発生することもある。このような問題を防止するために、動的資源用途変換をサポートする新たなシグナリングには、動的資源用途変換が適用されたとしても、ＨＡＲＱタイムラインを正しく維持できるＨＡＲＱタイムライン構成情報を含むことができる。例えば、ＴＤＤシステムの場合、このようなＨＡＲＱタイムライン構成情報は、ＤＬ  ＨＡＲＱ及び／またはＵＬ  ＨＡＲＱタイムラインを定義するときに参照するようになるＵＬ―ＤＬ設定（例えば、前記表１のＵＬ―ＤＬ設定のうちいずれか一つ）として与えることができる。
【０１６０】
動的資源用途変換をサポートするシステムに接続したＵＥは、資源構成に対する多様な情報を受信することができる。例えば、ＴＤＤの場合、一つのＵＥは、特定の時点で次の設定シグナリング（Ｃｏｎｆｉｇｕｒａｔｉｏｎ  ｓｉｇｎａｌｉｎｇ）１〜４のうち一つ以上を獲得することができる。
【０１６１】
―Ｃｏｎｆｉｇｕｒａｔｉｏｎ  ｓｉｇｎａｌｉｎｇ  １：システム情報で指示したＵＬ―ＤＬ設定。
【０１６２】
―Ｃｏｎｆｉｇｕｒａｔｉｏｎ  ｓｉｇｎａｌｉｎｇ  ２：システム情報シグナリング以外の別途のシグナリングを通じてそれぞれのサブフレームの用途を指示する目的で伝達されたＵＬ―ＤＬ設定。
【０１６３】
―Ｃｏｎｆｉｇｕｒａｔｉｏｎ  ｓｉｇｎａｌｉｎｇ  ３：ＤＬ  ＨＡＲＱタイムライン（すなわち、特定の時点で受信したＰＤＳＣＨに対するＵＬ  ＨＡＲＱ―ＡＣＫをいつ送信するのか）を定義するために伝達されたＵＬ―ＤＬ設定。
【０１６４】
―Ｃｏｎｆｉｇｕｒａｔｉｏｎ  ｓｉｇｎａｌｉｎｇ  ４：ＵＬ  ＨＡＲＱタイムライン（すなわち、特定の時点で受信したＵＬグラントに対するＰＵＳＣＨをいつ送信するのか、そして、特定の時点で送信したＰＵＳＣＨに対するＰＨＩＣＨをいつ受信するのか）を定義するために伝達されたＵＬ―ＤＬ設定。
【０１６５】
前記Ｃｏｎｆｉｇｕｒａｔｉｏｎ  ｓｉｇｎａｌｉｎｇ  ２、３または４を通じて提供される動的資源の用途変換のためのｃｏｎｆｉｇｕｒａｔｉｏｎは、前記Ｃｏｎｆｉｇｕｒａｔｉｏｎ  ｓｉｇｎａｌｉｎｇ  １によって提供されたシステム情報のｃｏｎｆｉｇｕｒａｔｉｏｎを一時的にオーバーライド（ｏｖｅｒｒｉｄｅ）するものと理解することができる。
【０１６６】
ＵＥが動的資源の用途変換をサポートするｅＮＢに接続するようになると、該当のｅＮＢは、システム情報を通じては最大限アップリンクサブフレーム（ＵＬ  ＳＦ）が多くの設定を指定することが有利である。これは、システム情報上でダウンリンクサブフレーム（ＤＬ  ＳＦ）と設定されたサブフレームをＵＬ  ＳＦに動的に変換することは、システム情報上でＵＬ  ＳＦと設定されたサブフレームをＤＬ  ＳＦに動的に変換することに比べて制約を有するためである。具体的には、各レガシーＵＥは、システム情報上でＤＬ  ＳＦと指定されたサブフレームで基地局から伝送されるセル―特定の参照信号（ＣＲＳ）を受信すると仮定して動作するが、該当のサブフレームが動的資源の用途変換によってＵＬ  ＳＦと設定されると、ＣＲＳが伝送されないので、レガシーＵＥがＣＲＳに基づいて行うチャンネル状態情報（ＣＳＩ）生成及び／またはデータ復調に大きなエラーが発生し得るためである。したがって、ｅＮＢは、システム情報上にはＵＬ  ＳＦを多く設定し、ＤＬトラフィックが増加する場合、ＵＬ  ＳＦのうち一部をＤＬ  ＳＦに動的に変換して運営することが好ましい。
【０１６７】
このような原理によって動作するＴＤＤシステムの一例において、ＵＥは、システム情報によると、特定時点で前記表１のＵＬ―ＤＬ  ｃｏｎｆｉｇｕｒａｔｉｏｎ＃０が適用されるものと指示されたが、実際のそれぞれのサブフレームでの資源用途はＵＬ―ＤＬ  ｃｏｎｆｉｇｕｒａｔｉｏｎ＃１に従うように指示されることもある。また、ＤＬ  ＨＡＲＱタイムラインの基準は、ＵＬ―ＤＬ  ｃｏｎｆｉｇｕｒａｔｉｏｎ＃２が適用されるものと指示され得る。これは、このようにＵＬ  ＳＦが少なく、ＤＬ  ＳＦが多いｃｏｎｆｉｇｕｒａｔｉｏｎをＤＬ  ＨＡＲＱタイムラインの基準とすると、動的資源の用途変換が行われたとしても、ＤＬ  ＨＡＲＱタイムラインが維持される可能性が高いためである。また、ＵＬ  ＨＡＲＱタイムラインの基準は、ＵＬ―ＤＬ  ｃｏｎｆｉｇｕｒａｔｉｏｎ＃０が適用されるものと指示され得る。これは、このようにＵＬ  ＳＦが多く、ＤＬ  ＳＦが少ないｃｏｎｆｉｇｕｒａｔｉｏｎをＵＬ  ＨＡＲＱタイムラインの基準とすると、動的資源の用途変換が行われたとしても、ＵＬ  ＨＡＲＱタイムラインが維持される可能性が高いためである。
【０１６８】
このように動的資源の用途変換が適用され得る環境では、上述したような端末のアップリンク伝送電力制御方案がそのまま適用される場合、既存のアップリンク伝送電力制御方案は、動的資源用途変換を考慮しないものであるので、多様な問題が発生し得る。システム情報によっては、ＤＬ  ＳＦと設定されたサブフレームが動的資源の用途変換によってＵＬ  ＳＦと設定され、該当のサブフレームでＵＬ伝送が行われる場合を仮定すると、該当のサブフレームは、隣接セルではＤＬ  ＳＦとして用いられるなどの理由で一般的なＵＬ  ＳＦとは干渉環境が大きく異なり得るが、このような状況を考慮していない既存のアップリンク伝送電力制御がそのまま適用される場合は、ＵＬ伝送の性能が大きく劣化し得る。
【０１６９】
したがって、本発明では、動的資源の用途変換をサポートするシステムに接続されたＵＥの場合のように、特定のＵＬ伝送別に電力制御方式を別途に適用する必要がある環境で用いられる、新たなアップリンク電力制御方案について提案する。
【０１７０】
実施例１
【０１７１】
本発明では、複数のサブフレームセットを設定し、それぞれのサブフレームセット別に異なる電力制御を適用する方式を提案する。複数のサブフレームセットに対する設定情報は、上位階層（例えば、ＲＲＣ）シグナリングを通じてＵＥに提供することができる。例えば、既存に定義されているサブフレームセット設定情報（例えば、ｅＩＣＩＣ（ｅｎｈａｎｃｅｄ  Ｉｎｔｅｒ―Ｃｅｌｌ  Ｉｎｔｅｒｆｅｒｅｎｃｅ  Ｃｏｏｒｄｉｎａｔｉｏｎ）の目的で設定されるＡＢＳ（Ａｌｍｏｓｔ  Ｂｌａｎｋ  Ｓｕｂｆｒａｍｅ）／普通のサブフレームなど）に従うか、これに基づいて設定することもでき、既存のサブフレームセット設定のためのシグナリング方式と類似するが、別途の用途で使用されるシグナリング方式を定義することもできる。
【０１７２】
さらに、複数のサブフレームセットに対する設定は、後述するように、アップリンク伝送電力制御方式の異なる形に適用する基準としての意味を有することもできる。例えば、非周期的ＣＳＩ報告をトリガリングするシグナリングをサブフレームｔでＵＥが受信し、これによって、サブフレームｒで非周期的ＣＳＩフィードバックをｅＮＢに伝送する動作において、前記サブフレームｔが属したサブフレームセットが何か、または前記サブフレームｒが属したサブフレームセットが何かによって、異なる伝送電力制御方式を適用することもできる。
【０１７３】
以下の説明では、明瞭性のために、２つのサブフレームセットが設定される場合を仮定するが、本発明の範囲がこれに制限されることはなく、３つ以上のサブフレームセットが設定される場合を含むことができる。
【０１７４】
本発明で提案する２種類のサブフレームセットは、それぞれ「ＳＦセット０」及び「ＳＦセット１」と称する。ＳＦセット０及びＳＦセット１は、それぞれＬ―ビット長さのサブフレームビットマップを用いて定義することができる。Ｌ値は、サブフレームセット設定の適切な周期によって決定することができる。例えば、既存のＡＢＳ設定方式と同様に、ＦＤＤではＬ＝４０と設定され、ＴＤＤではＵＬ―ＤＬ  ｃｏｎｆｉｇｕｒａｔｉｏｎによってＬ＝６０または７０などと設定され得るが、これに制限されることはない。
【０１７５】
本発明で提案する複数のサブフレームセットは、サブフレーム属性（ａｔｔｒｉｂｕｔｅ）によって設定することもできる。例えば、前記ＳＦセット０及びＳＦセット１のうちいずれか一つは、その用途が静的に設定される各サブフレーム（すなわち、「静的（Ｓｔａｔｉｃ）  ＳＦｓ」）を含むセットと定義し、他の一つは、その用途が柔軟に設定される各サブフレーム（すなわち、「フレキシブル（Ｆｌｅｘｉｂｌｅ）  ＳＦｓ」）を含むセットと定義することができる。
【０１７６】
具体的には、静的ＳＦとは、図１２のＳＦセット０のように、前記動的資源の用途変換が適用されない（例えば、システム情報によって設定されたＤＬまたはＵＬ用途がそのまま維持される）従来のような各ＳＦを意味し得る。一方、フレキシブルＳＦとは、図１２のＳＦセット１のように、動的資源の用途変換が適用される（または適用され得る）各ＳＦを意味し得る。
【０１７７】
また、図１２に示すように、動的資源の用途変換は、サービングセル（ｓｅｒｖｉｎｇ  ｃｅｌｌ）及び／または隣接セル（ｎｅｉｇｈｂｏｒ  ｃｅｌｌ）で適用することができる。例えば、ＳＦセット１は、ＳＦ＃（ｎ＋３）、＃（ｎ＋４）、＃（ｎ＋８）、＃（ｎ＋９）、…を含むが、これら各サブフレームは、サービングセルでは元の（またはシステム情報を通じて設定された）用途であるＵＬ資源として使用されるが、隣接セルでは動的資源の用途変換によってＤＬ資源として使用され得る。
【０１７８】
ＳＦセット１のようなフレキシブルＳＦｓでは、静的ＳＦｓとは異なり、ＵＥのアップリンク伝送時の干渉環境が大きく変わり得るので、静的ＳＦｓに適用されるアップリンク電力制御方式とは異なる別途のアップリンク電力制御方式を適用する必要がある。
【０１７９】
前記図１２の例示では、セルＡ（すなわち、サービングセル）とセルＢ（隣接セル）がそれぞれＳＩＢを通じて同一にＵＬ―ＤＬ  ｃｏｎｆｉｇｕｒａｔｉｏｎ  ＃０（すなわち、ＤＳＵＵＵＤＳＵＵＵ）を設定した状態で、セルＢが＃（ｎ＋３）、＃（ｎ＋４）、＃（ｎ＋８）、＃（ｎ＋９）、…インデックスに該当する各ＳＦをＤＬ  ＳＦに動的に用途変換する場合を例示した。
【０１８０】
この場合、セルＡは、セルＡに属したＵＥに図１２の例のようにＳＦセット０とＳＦセット１を設定し、各ＳＦセット別に異なる電力制御方式を適用させることができる。セル―間調整（ｃｏｏｒｄｉｎａｔｉｏｎ）が可能であると、特定のセルが動的資源の用途変換を適用するとき、各周辺セルがこれを考慮し、各ＳＦセットを適宜設定することが可能である。または、セル間に各ＳＦセット設定をいくつかのパターンから事前に定めておき、これと共に、前記動的資源の用途変換は、特定のＳＦセット（例えば、図１２ではＳＦセット１）のみで適用するように事前に約束する方式などを適用することができる。
【０１８１】
伝送電力制御動作について前記数式１〜７及び前記表８〜１２を参照して説明したように、現在のＬＴＥ／ＬＴＥ―Ａ標準では、ダウンリンク関連ＤＣＩ（ＤＬ―ｒｅｌａｔｅｄ  ＤＣＩ）（例えば、ＤＣＩフォーマット１、１Ａ、１Ｂ、１Ｄ、２、２Ａ、２Ｂ、２Ｃ、２Ｄ）に含まれるＴＰＣフィールドは、該当のＤＣＩによってスケジューリングされるＰＤＳＣＨに対するＡＣＫ／ＮＡＣＫが伝送されるＰＵＣＣＨに対するＣＬＰＣ用ＴＰＣ命令として適用され、アップリンク関連ＤＣＩ（ＵＬ―ｒｅｌａｔｅｄ  ＤＣＩ）（例えば、ＤＣＩフォーマット０、４）に含まれるＴＰＣフィールドは、該当のＤＣＩによってスケジューリングされるＰＵＳＣＨに対するＣＬＰＣ用ＴＰＣ命令として適用される。すなわち、ＰＵＣＣＨ用電力制御（ＰＣ）プロセスとＰＵＳＣＨ用ＰＣプロセスは独立的に動作し、それぞれに該当するＴＰＣ命令によって別途に累積されるＣＬＰＣ構造を有している。
【０１８２】
本発明では、既存のＰＵＳＣＨ  ＰＣプロセスと区分される別個の（または独立的な）ＰＵＳＣＨ  ＰＣプロセスを適用することを提案する。このように新たに導入される別途のＰＵＳＣＨ  ＰＣプロセスは、所定の条件を満足する資源（例えば、図１２の例示においてＳＦセット０などの静的ＳＦ）に対して適用することができる。
【０１８３】
例えば、既存のＰＵＳＣＨ  ＰＣプロセスが前記数式１によって動作するものと定義されると、新たな別個のＰＵＳＣＨ  ＰＣプロセスは、前記数式１の各パラメーター（例えば、ＰＣＭＡＸ，ｃ（ｉ），ＭＰＵＳＣＨ，ｃ（ｉ）、ＰＯ＿ＰＵＳＣＨ，ｃ（ｊ）、αｃ（ｊ）、ＰＬｃ、ΔＴＦ，ｃ（ｉ），ｆｃ（ｉ））のうち一つ以上に対して別途の設定値を適用するもの（例えば、別途の値をＲＲＣシグナリングを通じて事前に定めるもの）と定義することができる。
【０１８４】
例えば、前記数式１でＰ（０）Ｏ＿ＰＵＳＣＨ，ｃ（ｊ）及びｆｃ（０）（ｉ）の二つのパラメーターを分離し、別途の値を上位階層シグナリングを通じて設定することができる。ここで、Ｐ（ｘ）Ｏ＿ＰＵＳＣＨ，ｃ（ｊ）及びｆｃ（ｘ）（ｉ）において、ｘは、サブフレームセットのインデックス（例えば、０または１）で、該当のサブフレームセットに適用されるパラメーターであると理解することができる。
【０１８５】
この場合、別途のＰＵＳＣＨ  ＰＣプロセスのためのｆｃ（０）（ｉ）は、前記数式３でのＰＵＣＣＨ  ＰＣプロセスで使用されるｇ（ｉ）に基づいて決定されるものと定義することもできる（例えば、ｆｃ（０）（ｉ）＝ｇ（ｉ））。
【０１８６】
ＰＵＣＣＨは、ＳＲ、ＨＡＲＱ―ＡＣＫ／ＮＡＣＫ、ＣＳＩなどの重要なアップリンク制御情報（ＵＣＩ）を伝送するチャンネルであるので、ＤＬ用途に変換され得る可能性がある資源（例えば、フレキシブルＳＦ）上でＰＵＣＣＨを伝送させるとシステム性能が低下するおそれがあるので、ＰＵＣＣＨは、静的ＳＦで伝送させることが有利である。これによって、静的ＳＦでのＰＵＳＣＨ  ＰＣプロセスは、ＰＵＣＣＨのＰＣプロセスと連動させることが好ましいので、上述したように、別途のＰＵＳＣＨ  ＰＣプロセスのためのｆｃ（０）（ｉ）は、ＰＵＣＣＨ  ＰＣプロセスでの（ＤＬ―関連ＤＣＩのＴＰＣフィールドによって調節される）ｇ（ｉ）と連動させると同時に、ＣＬＰＣ累積を適用させることを考慮することができる。
【０１８７】
一方、既存のＰＵＳＣＨ  ＰＣプロセスは、ＳＦセット１（例えば、フレキシブルＳＦｓ）に対してのみ適用されるものと制限することもできる。この場合、ＰＵＳＣＨ  ＴＰＣは、既存に定義されたように、ＵＬ―関連ＤＣＩのＴＰＣフィールドによって与えられるｆｃ（ｉ）パラメーターが、ＳＦセット０（例えば、静的ＳＦｓ）に適用されるｆｃ（０）（ｉ）と別途のパラメーターとして独立的に累積されるように動作することができる。または、既存のＰＵＳＣＨ  ＰＣプロセスのように、ＵＬ―関連ＤＣＩのＴＰＣフィールドによって与えられるｆｃ（ｉ）をｆｃ（１）（ｉ）パラメーターと定義し、ｆｃ（０）（ｉ）と別途のパラメーターとして取り扱うこともできる。
【０１８８】
また、本発明では、ＰＵＣＣＨに対する伝送電力制御（ＴＰＣ）累積を決定するにおいて、上位階層によって設定されるＵＬ―ＤＬ  ｃｏｎｆｉｇｕｒａｔｉｏｎ（例えば、前記Ｃｏｎｆｉｇｕｒａｔｉｏｎ  Ｓｉｇｎａｌｉｎｇ  ３によって設定される、ＤＬ  ＨＡＲＱタイムラインを定義するために伝達されたＵＬ―ＤＬ  ｃｏｎｆｉｇｕｒａｔｉｏｎ）に従うことを提案する。すなわち、システム情報として提供されるＤＬ―ＵＬ  ｃｏｎｆｉｇｕｒａｔｉｏｎに従ってＰＵＣＣＨ  ＴＰＣを決定する代わりに、ＲＲＣシグナリングを通じて提供されるＤＬ  ＨＡＲＱタイムラインを決定するためのＵＬ―ＤＬ  ｃｏｎｆｉｇｕｒａｔｉｏｎに従ってＰＵＣＣＨ  ＴＰＣを決定することを提案する。ここで、ＤＬ  ＨＡＲＱタイムラインは、ＤＬ  ＨＡＲＱレファレンス設定とも称することができ、Ｍ（Ｍ≧１）個のＤＬサブフレームで受信したデータに対するＡＣＫ／ＮＡＣＫが一つのＵＬサブフレームを通じて伝送されるとき、前記Ｍ個のＤＬサブフレームを前記一つのＵＬサブフレームに対するＤＬ  ＨＡＲＱレファレンスと称することができる。
【０１８９】
例えば、ＰＵＣＣＨ  ＴＰＣにおいて、ＤＬ  ＨＡＲＱタイムラインを定義するためのＵＬ―ＤＬ  ｃｏｎｆｉｇｕｒａｔｉｏｎが上位階層によってシグナリングされると、これは、前記別途のＰＵＣＣＨ  ＰＣプロセスが適用されるＳＦセット０（例えば、静的ＳＦｓ）のみで、動的ＡＣＫ／ＮＡＣＫを伝送するＰＵＣＣＨが伝送されるように制限するものと表現することもできる。換言すると、ＤＬ  ＨＡＲＱ  ＰＵＣＣＨ  ＴＰＣの場合は、前記上位階層から与えられるＤＬ  ＨＡＲＱレファレンス設定に基づいて該当のＤＬ  ＨＡＲＱ  ＰＵＣＣＨのＴＰＣ適用時点が決定されるので、ＰＵＣＣＨ伝送において適用すべきＴＰＣ命令情報は、該当のＤＬ  ＨＡＲＱレファレンス設定が何かによって可変し得る。
【０１９０】
具体的な例示を挙げて説明すると、前記ＤＬ  ＨＡＲＱレファレンス設定情報として、前記表１での特定のＵＬ―ＤＬ設定が上位階層（例えば、ＲＲＣ）シグナリングを通じて設定され得る。前記特定のＵＬ―ＤＬ設定は、例えば、ＵＬ―ＤＬ  ｃｏｎｆｉｇｕｒａｔｉｏｎｓ  ＃２、＃４、＃５のうち一つであり得るが、これは、ＵＬ―ＤＬ  ｃｏｎｆｉｇｕｒａｔｉｏｎｓ  ＃２、＃４、＃５の場合は、一つの無線フレーム内でＵＬ  ＳＦの個数が２個または１個であって、他のＵＬ―ＤＬ  ｃｏｎｆｉｇｕｒａｔｉｏｎｓに比べて少ないためである。すなわち、上述したように、ＵＬ  ＳＦの個数が少ないほどＤＬ  ＨＡＲＱタイムラインを維持することが有利である点を考慮して、ＵＬ  ＳＦの個数が少ないＵＬ―ＤＬ  ｃｏｎｆｉｇｕｒａｔｉｏｎ  ＃２、＃４、＃５をＤＬ  ＨＡＲＱレファレンス設定として定義することができる。
【０１９１】
要するに、本発明の一例によると、ＰＵＣＣＨ  ＴＰＣ累積（例えば、ｇ（ｉ）計算）のためのＤＡＳＩ（Ｄｏｗｎｌｉｎｋ  Ａｓｓｏｃｉａｔｉｏｎ  Ｓｅｔ  Ｉｎｄｅｘ）Ｋ：｛ｋ０、ｋ１、・・・ｋＭ−１｝は、上位階層によって設定されるＤＬ  ＨＡＲＱレファレンス設定に従うものと定義することができる。
【０１９２】
【数１３】
2016515334.tif 000027
【０１９３】
【数１４】
2016515334.tif 000028
【０１９４】
【数１５】
2016515334.tif 000029
【０１９５】
また、前記のようなＤＬ  ＨＡＲＱタイムラインを考慮してＰＵＣＣＨ  ＴＰＣを決定する方案に従うと、システム情報によってＵＬ用途に設定された利用可能ななＵＬ  ＳＦｓで全てＰＵＣＣＨ  ＡＣＫ／ＮＡＣＫが伝送され得るように構成するのではなく、利用可能ななＵＬ  ＳＦｓのうち特定のＳＦセット（例えば、静的ＳＦｓ）に属したＵＬ  ＳＦ（ｓ）のみでＰＵＣＣＨ  ＡＣＫ／ＮＡＣＫ伝送が行われるようにし、その他のＳＦセット（例えば、フレキシブルＳＦｓ）に属したＵＬ  ＳＦ（ｓ）ではＰＵＣＣＨ  ＡＣＫ／ＮＡＣＫ伝送が行われないという制限が適用されるようにＤＬ  ＨＡＲＱタイムラインを構成することができる。このようなＤＬ  ＨＡＲＱタイムライン構成の実施例は多様であり得る。以下では、このような特徴を有するＤＬ  ＨＡＲＱタイムラインによって前記ＰＵＣＣＨ  ＡＣＫ／ＮＡＣＫが特定のＳＦセット（例えば、静的ＳＦｓ）に属するＵＬ  ＳＦ（ｓ）のみで伝送されることを、簡略に「ＳＦ―ｓｅｔ―ｓｐｅｃｉｆｉｃ  ＰＵＣＣＨ  Ａ／Ｎ」と称することにする。
【０１９６】
このような「ＳＦ―ｓｅｔ―ｓｐｅｃｉｆｉｃ  ＰＵＣＣＨ  Ａ／Ｎ」の形態でＤＬ  ＨＡＲＱタイムラインを構成する理由は、特定のＳＦセット（例えば、フレキシブルＳＦｓ）では各周辺セルの動的資源用途変換適用可能性によってＰＵＣＣＨ伝送に対する干渉環境が一定していないので、ＰＵＣＣＨ電力制御に困難さがあり得るためである。したがって、干渉環境が大きく変わらない特定のＳＦセット（例えば、静的ＳＦｓ）に属するＵＬ  ＳＦ（ｓ）で前記「ＳＦ―ｓｅｔ―ｓｐｅｃｉｆｉｃ  ＰＵＣＣＨ  Ａ／Ｎ」伝送が行われるように制限することによって、ＰＵＣＣＨ電力制御を容易にし、性能を保障することができる。
【０１９７】
一方、本発明で提案する複数のＳＦセット設定は、明示的（ｅｘｐｌｉｃｉｔ）に上位階層によってシグナリングされることもあるが、他の用途に設定されるＵＬ―ＤＬ  ｃｏｎｆｉｇｕｒａｔｉｏｎ関連情報を用いて間接的に（または黙示的（ｉｍｐｌｉｃｉｔ）に）決定することもできる。複数のＳＦセットが、第０のＳＦセット、第１のＳＦセット、…と設定されるとしたとき、それぞれのＳＦセットは、次のように設定することができる。
【０１９８】
例えば、第０のＳＦセット（例えば、静的ＳＦｓ）は、ＤＬ  ＨＡＲＱタイムラインを定義するときに参照するようになるＵＬ―ＤＬ  ｃｏｎｆｉｇｕｒａｔｉｏｎでＵＬと設定された各ＳＦと定義することができる。具体的には、ＵＥは、基本的にシステム情報（またはＳＩＢ）を通じて設定されたＵＬ―ＤＬ  ｃｏｎｆｉｇｕｒａｔｉｏｎを有することもでき、または、システム情報で設定されたものをオーバーライドするＵＥ―専用ＲＲＣシグナリングを通じて設定されたＵＬ―ＤＬ  ｃｏｎｆｉｇｕｒａｔｉｏｎを有することもできる。以下では、このようにＵＥが現在従うべきＵＬ―ＤＬ  ｃｏｎｆｉｇｕｒａｔｉｏｎを「ａｃｔｕａｌ  ＵＬ―ＤＬ  ｃｏｎｆｉｇ」と称する。これとは別途に、前記Ｃｏｎｆｉｇｕｒａｔｉｏｎ  ｓｉｇｎａｌｉｎｇ  ３で言及したように、ＤＬ  ＨＡＲＱタイムラインを定義するために伝達されたＵＬ―ＤＬ  ｃｏｎｆｉｇｕｒａｔｉｏｎをＵＥが有することができ、以下では、これを「ＤＬ―ＨＡＲＱ  ＵＬ―ＤＬ  ｃｏｎｆｉｇ」と称することにする。例えば、「ａｃｔｕａｌ  ＵＬ―ＤＬ  ｃｏｎｆｉｇ」は、ＵＬ―ＤＬ  ｃｏｎｆｉｇｕｒａｔｉｏｎ  ＃３（すなわち、ＤＳＵＵＵＤＤＤＤＤ）と設定されており、「ＤＬ―ＨＡＲＱ  ＵＬ―ＤＬ  ｃｏｎｆｉｇ」は、ＵＬ―ＤＬ  ｃｏｎｆｉｇｕｒａｔｉｏｎ  ＃５（すなわち、ＤＳＵＤＤＤＤＤＤＤ）と設定されている場合を仮定する。この場合、第０のＳＦセット（例えば、静的ＳＦｓ）の設定に対する別途の明示的なシグナリングがないとしても、「ＤＬ―ＨＡＲＱ  ＵＬ―ＤＬ  ｃｏｎｆｉｇ」を参照してＵＬ―ＤＬ  ｃｏｎｆｉｇｕｒａｔｉｏｎ  ＃５でＵＬと設定されたＳＦ＃ｎ＋２のみが第０のＳＦセットに属すると黙示的に決定することができる。
【０１９９】
次に、第１のＳＦセット（例えば、フレキシブルＳＦｓ）は、「ａｃｔｕａｌ  ＵＬ―ＤＬ  ｃｏｎｆｉｇ」でＵＬと設定された各ＳＦのうち、第０のＳＦセットに属したＵＬ  ＳＦ（ｓ）を除いた残りのＵＬ  ＳＦ（あるいは残りのＵＬ  ＳＦのうち一部）と定義することができる。例えば、「ａｃｔｕａｌ  ＵＬ―ＤＬ  ｃｏｎｆｉｇ」は、ＵＬ―ＤＬ  ｃｏｎｆｉｇｕｒａｔｉｏｎ  ＃３（すなわち、ＤＳＵＵＵＤＤＤＤＤ）と設定されており、「ＤＬ―ＨＡＲＱ  ＵＬ―ＤＬ  ｃｏｎｆｉｇ」は、ＵＬ―ＤＬ  ｃｏｎｆｉｇｕｒａｔｉｏｎ  ＃５（すなわち、ＤＳＵＤＤＤＤＤＤＤ）と設定されている場合を仮定する。この場合、第１のＳＦセット（例えば、フレキシブルＳＦｓ）の設定に対する別途の明示的なシグナリングがないとしても、「ａｃｔｕａｌ  ＵＬ―ＤＬ  ｃｏｎｆｉｇ」として設定された前記ＵＬ―ＤＬ  ｃｏｎｆｉｇｕｒａｔｉｏｎ  ＃３でＵＬと設定されたＳＦ＃ｎ＋２、ＳＦ＃ｎ＋３、ＳＦ＃ｎ＋４のうち前記第０のＳＦセットに属するＳＦ＃ｎ＋２を除いた、｛ＳＦ＃ｎ＋３、ＳＦ＃ｎ＋４｝が前記第１のＳＦセットに属すると黙示的に決定することができる。
【０２００】
ここで、追加的に「ａｃｔｕａｌ  ＵＬ―ＤＬ  ｃｏｎｆｉｇ」でＵＬと設定された各ＳＦのうち、第０のＳＦセットに属したＵＬ  ＳＦ（ｓ）を除いた残りのＵＬ  ＳＦの一部を第１のＳＦセットと設定し、その残り（またはその残りの一部）を第２のＳＦセット、第３のＳＦセット、…と設定することもできる。例えば、前記例示において、ＳＦ＃ｎ＋３、ＳＦ＃ｎ＋４のうちＳＦ＃ｎ＋３は第１のＳＦセットに属し、ＳＦ＃ｎ＋４は第２のＳＦセットに属すると設定することもできる。この場合は、第１のＳＦセット、第２のＳＦセット、…を区分するためのシグナリングまたは基準が追加的に必要であり得る。
【０２０１】
このような複数のＳＦセットの設定に対する黙示的な指示方式は、別途のシグナリングがないとしても、前記「ＤＬ―ＨＡＲＱ  ＵＬ―ＤＬ  ｃｏｎｆｉｇ」でＵＬと設定された各ＳＦのみで実際にＰＵＣＣＨ  ＡＣＫ／ＮＡＣＫが伝送され得るので、これら各ＳＦを静的ＳＦｓと設定することが、追加的なシグナリングオーバーヘッドを防止し、本発明で提案するサブフレーム―セット―特定の電力制御を容易に適用できるという点で有利である。
【０２０２】
また、第１のＳＦセット（例えば、フレキシブルＳＦｓ）として例示した各ＳＦでは、ＵＬ及びＤＬが動的に変換され得るので、ここで、ＵＥがＰＵＳＣＨを伝送する場合、別途のＰＵＳＣＨ  ＰＣプロセスに従わせることができる。
【０２０３】
また、複数のＳＦセットの設定に対する黙示的な指示方式は、本発明で提案するＳＦ―セット―特定の電力制御方式に対してのみ用いられるものと制限されず、その他の用途で前記黙示的に指示されるＳＦセットに対するＳＦ―セット―特定の動作にも活用することができる。例えば、本発明で提案する黙示的なＳＦセット設定方式に従って、ＳＦ―セット―特定の干渉測定、ＳＦ―セット―特定の制限的ＲＲＭ（Ｒａｄｉｏ  Ｒｅｓｏｕｒｃｅ  Ｍａｎａｇｅｍｅｎｔ）（例えば、ＲＳＲＰ、ＲＳＲＱ（Ｒｅｆｅｒｅｎｃｅ  Ｓｉｇｎａｌ  Ｒｅｃｅｉｖｅｄ  Ｑｕａｌｉｔｙ）など）、ＳＦ―セット―特定のＣＳＩ報告などの多様な動作を行わせることもできる。
【０２０４】
上述した本発明の各提案事項を再び簡略に説明する。
【０２０５】
特定のＳＦセット（例えば、ＳＦセット１；フレキシブルＳＦｓ）で適用される既存のＰＵＳＣＨ  ＰＣプロセスを、他の特定のＳＦセット（例えば、ＳＦセット０；静的ＳＦｓ）でもそのまま適用させると、ＳＦセット別の大きな干渉環境の差によって性能劣化が発生し得るので、各ＳＦセット別に分離されたＰＵＳＣＨ  ＰＣプロセスを適用することができる。また、特定のＳＦセット（例えば、ＳＦセット０；静的ＳＦｓ）に対して適用される独立的なＴＰＣ命令をＰＵＳＣＨ  ＴＰＣでないＰＵＣＣＨ  ＴＰＣと連動させることによって、ＴＰＣによる制御チャンネルオーバーヘッドを最小化することができる。例えば、特定のＳＦセット（例えば、ＳＦセット０；静的ＳＦｓ）に対しては、ＰＵＳＣＨ  ＴＰＣ＝ＰＵＣＣＨ  ＴＰＣ（例えば、ｆｃ（０）（ｉ）＝ｇ（ｉ））と設定することが好ましい。
【０２０６】
さらに、本発明によると、複数のＰＵＳＣＨ  ＰＣプロセスを上位階層によって設定することができ、そのうち第０のタイプのＰＵＳＣＨ  ＰＣプロセスのＴＰＣ命令（例えば、ｆｃ（０）（ｉ））は、特定のＰＵＣＣＨ  ＰＣのＴＰＣ命令（例えば、ＤＬ―関連ＤＣＩのＴＰＣフィールドによって調節されるｇ（ｉ））と連動し得る（例えば、ｆｃ（０）（ｉ）＝ｇ（ｉ））。これによって、ＰＵＣＣＨ  ＰＣプロセスとＰＵＳＣＨ  ＰＣプロセスが同時にＣＬＰＣ累積され得る。また、第１のタイプのＰＵＳＣＨ  ＰＣプロセスの該当のＴＰＣパラメーター（例えば、ｆｃ（１）（ｉ））は、ＰＵＣＣＨ  ＰＣのＴＰＣ命令と連動せず、従来のように特定のＵＬ―関連ＤＣＩのＴＰＣフィールドを通じてＣＬＰＣ累積され得る。また、第２のタイプのＰＵＳＣＨ  ＰＣプロセスのＴＰＣパラメーター（（例えば、ｆｃ（２）（ｉ））は、このための特定のｔｐｃ―Ｉｎｄｅｘ及び特定のＴＰＣ―ＰＵＳＣＨ―ＲＮＴＩを事前に別途にＲＲＣシグナリングを通じて設定しておき、ＤＣＩ３／３Ａを通じてＣＬＰＣ累積させることもできる。前記複数のＰＵＳＣＨ  ＰＣプロセスには、同一のタイプのＰＵＳＣＨ  ＰＣプロセスを一つ以上含ませることもできる。
【０２０７】
また、前記複数のＰＵＳＣＨ  ＰＣプロセスのそれぞれにおいて、各パラメーター｛ＰＣＭＡＸ，ｃ（ｉ），ＭＰＵＳＣＨ，ｃ（ｉ）、ＰＯ＿ＰＵＳＣＨ，ｃ（ｊ）、αｃ（ｊ）、ＰＬｃ、ΔＴＦ，ｃ（ｉ），ｆｃ（ｉ）｝のうち少なくとも一つのパラメーターが分離され、事前に別途にＲＲＣシグナリングを通じて設定され得る。
【０２０８】
実施例２
【０２０９】
本発明で提案するＰＵＳＣＨ電力制御方案として、ＳＦセット別にＰＵＳＣＨ  ＰＣプロセスを分離し、それぞれのＰＵＳＣＨ  ＰＣプロセスのＴＰＣ命令は、該当のＳＦセットでＵＬグラントが受信されるときのＴＰＣフィールドによって動作させる。具体的には、ＵＬグラントがどのＳＦセットで受信されるかによって、該当のＴＰＣフィールドは、該当のＳＦセットに属したＳＦで伝送されるＰＵＳＣＨに対するＴＰＣ累積のみに適用することができる。換言すると、ＤＣＩフォーマット０／４／３／３Ａに含まれるＴＰＣ命令は、ＤＣＩフォーマット０／４／３／３Ａが受信されたＳＦと関連したサブフレームのみに適用されるものと言える。以下の説明では、このような方式をルール（Ｒｕｌｅ）Ａと称する。
【０２１０】
例えば、特定のＳＦセット（例えば、ＳＦセット０；静的ＳＦｓ）に属するいずれかのＳＦでＴＰＣフィールドを伴うＵＬグラントが受信されると、ＵＥは、該当のＴＰＣ命令を前記特定のＳＦセット（例えば、ＳＦセット０；静的ＳＦｓ）と関連したＰＵＳＣＨ  ＰＣプロセスのＣＬＰＣ累積のみに反映して電力を調節し、これによって伝送電力が決定されたＰＵＳＣＨ伝送を行う。一方、前記特定のＳＦセットと異なるＳＦセット（例えば、ＳＦセット１；フレキシブルＳＦｓ）のいずれかのＳＦでＴＰＣフィールドを伴うＵＬグラントが受信されると、ＵＥは、該当のＴＰＣ命令を該当のＳＦセット（例えば、ＳＦセット１；フレキシブルＳＦｓ）と関連したＰＵＳＣＨ  ＰＣプロセスのＣＬＰＣ累積のみに反映して電力を調節し、これによって伝送電力が決定されたＰＵＳＣＨ伝送を行う。
【０２１１】
例えば、サービングセルｃに対して、ＳＦセット１に対してのみ適用されるＰＵＳＣＨ  ＰＣプロセスのＴＰＣをｆｃ（１）（ｉ）と言い、ＳＦセット２に対してのみ適用されるＰＵＳＣＨ  ＰＣプロセスのＴＰＣをｆｃ（２）（ｉ）と言う。
【０２１２】
ＴＰＣ累積がイネーブルされた場合、ｆｃ（ｘ）（ｉ）＝ｆｃ（ｘ）（ｉ―１）+δＰＵＳＣＨ，ｃ（ｉ−ＫＰＵＳＣＨ）である。ここで、ＳＦインデックスｉでのＰＵＳＣＨ伝送に対応するＵＬグラントまたはＤＣＩフォーマット３／３Ａが受信されたＳＦインデックスｊがＳＦセット１に属すると、ｘ＝１である。または、ＳＦインデックスｉでのＰＵＳＣＨ伝送に対応するＵＬグラントまたはＤＣＩフォーマット３／３Ａが受信されたＳＦインデックスｊがＳＦセット２に属すると、ｘ＝２である。既存のＴＰＣ累積動作とは異なり、ＵＥは、ＳＦインデックスｉでのＰＵＳＣＨ伝送に対するスケジューリング情報を含むＵＬグラントが受信された（またはＳＦインデックスｉでのＰＵＳＣＨ伝送に適用されるＴＰＣ命令を含むＤＣＩフォーマット３／３Ａが受信された）ＳＦインデックスｊがどのＳＦセットに属するかを判定し、これによって、ｆｃ（ｘ）（ｉ）でのｘ値を決定することによって、複数のＰＵＳＣＨ  ＰＣプロセスのうちいずれに対してＴＰＣ累積を行うべきであるかを決定することができる。
【０２１３】
ＴＰＣ累積がイネーブルされていない場合、ｆｃ（ｘ）（ｉ）＝δＰＵＳＣＨ，ｃ（ｉ−ＫＰＵＳＣＨ）である。ここで、ＳＦインデックスｉでのＰＵＳＣＨ伝送に対応するＵＬグラントまたはＤＣＩフォーマット３／３Ａが受信されたＳＦインデックスｊがＳＦセット１に属すると、ｘ＝１である。または、ＳＦインデックスｉでのＰＵＳＣＨ伝送に対応するＵＬグラントまたはＤＣＩフォーマット３／３Ａが受信されたＳＦインデックスｊがＳＦセット２に属すると、ｘ＝２である。既存のＴＰＣ累積動作とは異なり、ＵＥは、ＳＦインデックスｉでのＰＵＳＣＨ伝送に対するスケジューリング情報を含むＵＬグラントが受信された（またはＳＦインデックスｉでのＰＵＳＣＨ伝送に適用されるＴＰＣ命令を含むＤＣＩフォーマット３／３Ａが受信された）ＳＦインデックスｊがどのＳＦセットに属するのかを判定し、これによって、ｆｃ（ｘ）（ｉ）でのｘ値を決定することによって、複数のＰＵＳＣＨ  ＰＣプロセスのうちいずれに対してＴＰＣ累積を行うべきであるかを決定することができる。
【０２１４】
実施例３
【０２１５】
本発明で提案するＰＵＳＣＨ電力制御方案として、ＳＦセット別にＰＵＳＣＨ  ＰＣプロセスを分離し、ｎ番目のＳＦで受信されたＵＬグラント（例えば、ＤＣＩフォーマット０または４）に含まれているＴＰＣフィールドは、前記ＵＬグラントによってスケジューリングされるＰＵＳＣＨ伝送ＳＦ（例えば、ｎ＋ｋ番目のＳＦ）が属したＳＦセットと関連したＰＵＳＣＨ  ＰＣプロセスのＴＰＣ累積のみに使用させることができる。または、ｎ番目のＳＦで受信されたＤＣＩフォーマット３／３Ａに含まれているＴＰＣフィールドは、該当のＴＰＣフィールドが適用されるＰＵＳＣＨ伝送が行われるＳＦ（例えば、ｎ＋ｋ番目のＳＦ）が属したＳＦセットと関連したＰＵＳＣＨ  ＰＣプロセスのＴＰＣ累積のみに使用させることができる。具体的には、ＵＬグラントによってスケジューリングされるＰＵＳＣＨ（または前記ＤＣＩフォーマット３／３ＡのＴＰＣ命令が適用されるＰＵＳＣＨ）がどのＳＦセットで伝送されるのかによって、該当のＴＰＣフィールドは、該当のＳＦセットに属したＳＦで伝送されるＰＵＳＣＨに対するＴＰＣ累積のみに適用することができる。換言すると、ＤＣＩフォーマット０／４／３／３Ａに含まれるＴＰＣ命令は、ＰＵＳＣＨ―伝送ＳＦと関連したサブフレームのみに適用されるものと言える。以下の説明では、このような方式をルールＢと称する。
【０２１６】
例えば、特定のＳＦセット（例えば、ＳＦセット０；静的ＳＦｓ）に属したいずれかのＳＦで伝送されるＰＵＳＣＨのためのＵＬグラントがＴＰＣフィールドを伴って受信された場合（または前記ＰＵＳＣＨのためのＴＰＣフィールドを含むＤＣＩ  ３／３Ａが受信された場合）、ＵＥは、該当のＴＰＣ命令を前記特定のＳＦセット（例えば、ＳＦセット０；静的ＳＦｓ）と関連したＰＵＳＣＨ  ＰＣプロセスのＣＬＰＣ累積のみに反映して電力を調節し、これによって、伝送電力が決定されたＰＵＳＣＨ伝送を行う。一方、前記特定のＳＦセットと異なるＳＦセット（例えば、ＳＦセット１；フレキシブルＳＦｓ）に属したいずれかのＳＦで伝送されるＰＵＳＣＨのためのＵＬグラントがＴＰＣフィールドを伴って受信された場合（または、前記ＰＵＳＣＨのためのＴＰＣフィールドを含むＤＣＩ  ３／３Ａが受信された場合）、ＵＥは、該当のＴＰＣ命令を該当のＳＦセット（例えば、ＳＦセット１；フレキシブルＳＦｓ）と関連したＰＵＳＣＨ  ＰＣプロセスのＣＬＰＣ累積のみに反映して電力を調節し、これによって、伝送電力が決定されたＰＵＳＣＨ伝送を行う。
【０２１７】
例えば、サービングセルｃに対して、ＳＦセット１に対してのみ適用されるＰＵＳＣＨ  ＰＣプロセスのＴＰＣをｆｃ（１）（ｉ）と言い、ＳＦセット２に対してのみ適用されるＰＵＳＣＨ  ＰＣプロセスのＴＰＣをｆｃ（２）（ｉ）と言う。
【０２１８】
ＴＰＣ累積がイネーブルされた場合、ｆｃ（ｘ）（ｉ）＝ｆｃ（ｘ）（ｉ―１）+δＰＵＳＣＨ，ｃ（ｉ−ＫＰＵＳＣＨ）である。ここで、ＰＵＳＣＨが伝送されるＳＦインデックスｉがＳＦセット１に属すると、ｘ＝１である。または、ＰＵＳＣＨが伝送されるＳＦインデックスｉがＳＦセット２に属すると、ｘ＝２である。既存のＴＰＣ累積動作とは異なり、ＵＥは、ＰＵＳＣＨが伝送されるサブフレームインデックスｉがどのＳＦセットに属するのかを判定し、これによって、ｆｃ（ｘ）（ｉ）でのｘ値を決定することによって、複数のＰＵＳＣＨ  ＰＣプロセスのうちいずれに対してＴＰＣ累積を行うべきであるかを決定することができる。
【０２１９】
ＴＰＣ累積がイネーブルされていない場合、ｆｃ（ｘ）（ｉ）＝δＰＵＳＣＨ，ｃ（ｉ−ＫＰＵＳＣＨ）である。ここで、ＰＵＳＣＨが伝送されるＳＦインデックスｉがＳＦセット１に属すると、ｘ＝１である。または、ＰＵＳＣＨが伝送されるＳＦインデックスｉがＳＦセット２に属すると、ｘ＝２である。既存のＴＰＣ累積動作とは異なり、ＵＥは、ＰＵＳＣＨが伝送されるＳＦインデックスｉがどのＳＦセットに属するのかを判定し、これによって、ｆｃ（ｘ）（ｉ）でのｘ値を決定することによって、複数のＰＵＳＣＨ  ＰＣプロセスのうちいずれに対してＴＰＣ累積を行うべきであるかを決定することができる。
【０２２０】
実施例４
【０２２１】
本発明では、一つのＵＬグラントによって複数のＳＦｓでのＰＵＳＣＨ伝送をスケジューリングする場合におけるアップリンク伝送電力制御方案について提案する。
【０２２２】
例えば、ＵＬ―ＤＬ  ｃｏｎｆｉｇｕｒａｔｉｏｎ  ＃０（すなわち、ＤＳＵＵＵＤＳＵＵＵ）と設定され、ＳＦ＃ｎで検出されたＵＬ―関連ＤＣＩ（例えば、ＤＣＩフォーマット０／４）にＵＬインデックスフィールドが含まれ、ＵＬインデックスフィールドの値が１１と設定された場合、ＳＦ＃ｎ＋ｋ及びＳＦ＃ｎ＋７の全てで前記ＵＬグラントによるＰＵＳＣＨ伝送を行うことができる。この場合、前記ＳＦ＃ｎで検出されたＵＬ―関連ＤＣＩに含まれたＴＰＣフィールドをどのように処理するのかに対して、以下で説明する多様な規則（ルール１〜ルール８）のうち一つ以上を適用することができる。
【０２２３】
まず、前記複数のＳＦｓが一つの同一のＳＦセットに属しており、一つのＳＦセットが一つのＰＵＳＣＨ  ＰＣプロセスのみと関連した場合、前記ＵＬ―関連ＤＣＩに含まれた一つのＴＰＣ命令は、前記一つのＰＵＳＣＨ  ＰＣプロセスのＣＬＰＣ累積に適用することができる。以下の各規則は、前記複数のＳＦｓが互いに異なるＳＦセットに属しており、ＳＦセット別に別途のＰＵＳＣＨ  ＰＣプロセスが関連している場合、前記ＵＬ―関連ＤＣＩに含まれた一つのＴＰＣ命令をいずれのＰＵＳＣＨ  ＰＣプロセスに適用するのかに対するものである。
【０２２４】
ルール１によると、ＰＵＳＣＨがスケジューリングされた複数のＳＦｓのうち少なくとも一つのＳＦに連動しているＰＵＳＣＨ  ＰＣプロセスには、全て前記ＴＰＣによるＣＬＰＣ累積が適用され、該当のＰＵＳＣＨ  ＰＣプロセスの電力を調節し、これを反映したＰＵＳＣＨ伝送を行う。前記複数のＳＦｓが互いに異なるＳＦセットに属しており、ＳＦセット別に別途のＰＵＳＣＨ  ＰＣプロセスが関連している場合、前記ＵＬ―関連ＤＣＩに含まれた一つのＴＰＣ命令を複数のＰＵＳＣＨ  ＰＣプロセスに対するＣＬＰＣ累積に同時に適用することができる。または、
【０２２５】
ルール２によると、ＰＵＳＣＨがスケジューリングされた複数のＳＦｓのうち時間的により先行する（または最も先行する）一つのＳＦと連動しているＰＵＳＣＨ  ＰＣプロセスのみに前記ＴＰＣによるＣＬＰＣ累積が適用され、該当のＰＵＳＣＨ  ＰＣプロセスの電力を調節し、これを反映したＰＵＳＣＨ伝送を行う。前記複数のＳＦｓが互いに異なるＳＦセットに属しており、ＳＦセット別に別途のＰＵＳＣＨ  ＰＣプロセスが関連している場合、前記ＵＬ―関連ＤＣＩに含まれたＴＰＣ命令は、時間上に最も先行するＳＦが属したＳＦセットと関連したＰＵＳＣＨ  ＰＣプロセスに対するＣＬＰＣ累積のみに適用され、残りのＳＦが属したＳＦセットに対しては前記ＴＰＣが適用されない。
【０２２６】
ルール３によると、ＰＵＳＣＨがスケジューリングされた複数のＳＦｓのうちスロットインデックスまたはサブフレームインデックスがより低い（または最も低い）一つのＳＦと連動しているＰＵＳＣＨ  ＰＣプロセスのみに前記ＴＰＣによるＣＬＰＣ累積が適用され、該当のＰＵＳＣＨ  ＰＣプロセスの電力を調節し、これを反映したＰＵＳＣＨ伝送を行う。スロット／サブフレームインデックスは、無線フレーム内で時間順序によって増加するが、無線フレームの境界では再びインデックス０に設定されるので、スロット／サブフレームインデックスが低いとして必ずしも時間上で先行するのではない。前記複数のＳＦｓが互いに異なるＳＦセットに属しており、ＳＦ  ｓｅｔ別に別途のＰＵＳＣＨ  ＰＣプロセスが関連している場合、前記ＵＬ―関連ＤＣＩに含まれたＴＰＣ命令は、スロット／サブフレームインデックスが最も低いＳＦが属したＳＦセットと関連したＰＵＳＣＨ  ＰＣプロセスに対するＣＬＰＣ累積のみに適用され、残りのＳＦが属したＳＦセットに対しては前記ＴＰＣが適用されない。
【０２２７】
ルール４によると、ＰＵＳＣＨがスケジューリングされた複数のＳＦｓのうち時間的により遅い（または最も遅い）一つのＳＦと連動しているＰＵＳＣＨ  ＰＣプロセスのみに前記ＴＰＣによるＣＬＰＣ累積が適用され、該当のＰＵＳＣＨ  ＰＣプロセスの電力を調節し、これを反映したＰＵＳＣＨ伝送を行う。前記複数のＳＦｓが互いに異なるＳＦセットに属しており、ＳＦセット別に別途のＰＵＳＣＨ  ＰＣプロセスが関連している場合、前記ＵＬ―関連ＤＣＩに含まれたＴＰＣ命令は、時間上に最も遅いＳＦが属したＳＦセットと関連したＰＵＳＣＨ  ＰＣプロセスに対するＣＬＰＣ累積のみに適用され、残りのＳＦが属したＳＦセットに対しては前記ＴＰＣが適用されない。
【０２２８】
ルール５によると、ＰＵＳＣＨがスケジューリングされた複数のＳＦｓのうちスロットインデックスまたはサブフレームインデックスがより高い（または最も高い）一つのＳＦと連動しているＰＵＳＣＨ  ＰＣプロセスのみに前記ＴＰＣによるＣＬＰＣ累積が適用され、該当のＰＵＳＣＨ  ＰＣプロセスの電力を調節し、これを反映したＰＵＳＣＨ伝送を行う。前記複数のＳＦｓが互いに異なるＳＦセットに属しており、ＳＦセット別に別途のＰＵＳＣＨ  ＰＣプロセスが関連している場合、前記ＵＬ―関連ＤＣＩに含まれたＴＰＣ命令は、スロット／サブフレームインデックスが最も高いＳＦが属したＳＦセットと関連したＰＵＳＣＨ  ＰＣプロセスに対するＣＬＰＣ累積のみに適用され、残りのＳＦが属したＳＦセットに対しては前記ＴＰＣが適用されない。
【０２２９】
ルール６によると、前記ルール２〜ルール５を拡張し、Ｑ（Ｑ＞１）個のＳＦに対して適用する。
【０２３０】
前記ルール２の変形例であるルール２'によると、ＰＵＳＣＨがスケジューリングされた複数のＳＦｓのうち時間的により先行するＱ個のＳＦと連動しているＰＵＳＣＨ  ＰＣプロセスには前記ＴＰＣによるＣＬＰＣ累積が適用される。前記ルール３の変形例であるルール３'によると、ＰＵＳＣＨがスケジューリングされた複数のＳＦｓのうちスロット／サブフレームインデックスがより低いＱ個のＳＦと連動しているＰＵＳＣＨ  ＰＣプロセスには前記ＴＰＣによるＣＬＰＣ累積が適用される。前記ルール４の変形例であるルール４'によると、ＰＵＳＣＨがスケジューリングされた複数のＳＦｓのうち時間的により遅いＱ個のＳＦと連動しているＰＵＳＣＨ  ＰＣプロセスには前記ＴＰＣによるＣＬＰＣ累積が適用される。前記ルール５の変形例であるルール５'によると、ＰＵＳＣＨがスケジューリングされた複数のＳＦｓのうちスロット／サブフレームインデックスがより高いＱ個のＳＦと連動しているＰＵＳＣＨ  ＰＣプロセスには前記ＴＰＣによるＣＬＰＣ累積が適用される。
【０２３１】
前記Ｑ個のＳＦが互いに異なるＳＦセットに属しており、ＳＦセット別に別途のＰＵＳＣＨ  ＰＣプロセスが関連している場合、前記ＵＬ―関連ＤＣＩに含まれたＴＰＣ命令は、前記Ｑ個のＳＦが属したＳＦセットと関連したＰＵＳＣＨ  ＰＣプロセスに対するＣＬＰＣ累積に全て適用される。前記Ｑ個のＳＦが一つの同一のＳＦセットに属しており、一つのＳＦセットが一つのＰＵＳＣＨ  ＰＣプロセスのみと関連した場合、前記ＵＬ―関連ＤＣＩに含まれた一つのＴＰＣ命令は、前記一つのＰＵＳＣＨ  ＰＣプロセスのＣＬＰＣ累積に適用することができる。
【０２３２】
ルール７によると、ＰＵＳＣＨがスケジューリングされた複数のＳＦｓが一つのＳＦセットに全て属した場合のみに、これと連動したＰＵＳＣＨ  ＰＣプロセスのＣＬＰＣ累積に前記ＴＰＣ命令が適用される。そうでない場合（すなわち、ＰＵＳＣＨがスケジューリングされた複数のＳＦｓが特定の一つのＳＦセットに全て含まれず、互いに異なるＳＦセットに属した場合）、前記ＴＰＣ命令は無視される（すなわち、いずれのＰＵＳＣＨ  ＰＣプロセスにも反映されない）。
【０２３３】
ルール８によると、ＰＵＳＣＨがスケジューリングされた複数のＳＦｓがＱ（Ｑ＞１）個のＳＦセットに含まれた場合、これと連動したＰＵＳＣＨ  ＰＣプロセスのＣＬＰＣ累積に前記ＴＰＣ命令が適用される。そうでない場合（すなわち、ＰＵＳＣＨがスケジューリングされた複数のＳＦｓがＱ（Ｑ＞１）個のＳＦセットに含まれず、Ｑより多い個数の互いに異なるＳＦセットに含まれる場合）、前記ＴＰＣ命令は無視される（すなわち、いずれのＰＵＳＣＨ  ＰＣプロセスにも反映されない）。ここで、Ｑは、ＳＦセットの個数を制限するしきい値としての意味を有することができ、予め設定することができる。
【０２３４】
上述したルール１〜ルール８は例示に過ぎなく、ＰＵＳＣＨがスケジューリングされた複数のＳＦのうち一つまたはＱ個のＳＦを決定する多様な方式を適用することができる。例えば、他の設定との関係により、または、予め決定された表により、または明示的なシグナリングにより、前記一つまたはＱ個のＳＦが何かを指示することができる。
【０２３５】
例えば、ＵＥに対してＵＬ―ＤＬ  ｃｏｎｆｉｇｕｒａｔｉｏｎ  ＃０（すなわち、ＤＳＵＵＵＤＳＵＵＵ）が設定され、ＵＥがＳＦ＃ｊで検出したＵＬ―関連ＤＣＩに含まれたＵＬインデックスフィールドの値が１１である場合、前記ＳＦインデックスｊ値を基準にして、次のようにＵＥ動作を定義することができる。
【０２３６】
ＳＦ＃０で前記ＵＬ―関連ＤＣＩが検出され、前記ＵＬ―関連ＤＣＩに含まれたＴＰＣの値はｙで、ＵＬインデックスフィールドの値は１１である場合、前記ＵＬ―関連ＤＣＩに含まれたＵＬグラントによって、ＰＵＳＣＨはＳＦ＃４及びＳＦ＃７でスケジューリングされる。ここで、ＳＦ＃４はＳＦセット１に属し、ＳＦ＃７はＳＦセット２に属した場合を仮定する。前記表８により、ＳＦ＃４に対してはＫPUSCH＝４であるので、ＳＦ＃４でのＰＵＳＣＨ伝送にはＳＦ＃０（＝ＳＦ＃（４−ＫPUSCH））で提供されたＴＰＣ値であるｙが適用される。一方、前記表８によると、ＳＦ＃７に対してはＫPUSCH＝６であるので、ＳＦ＃７でのＰＵＳＣＨ伝送には、ＳＦ＃１（＝ＳＦ＃（７−ＫPUSCH））でＴＰＣが提供された場合、その値を適用することもできる。すなわち、ＳＦ＃０で提供されたＴＰＣ値ｙは、ＳＦ＃４と連動したＳＦセット１のｆｃ（１）（ｉ）のみに適用されるものと言える。また、このような動作は、前記ルールＢに従うものとも言える。
【０２３７】
ＳＦ＃５で前記ＵＬ―関連ＤＣＩが検出され、前記ＵＬ―関連ＤＣＩに含まれたＴＰＣの値はｙで、ＵＬインデックスフィールドの値は１１である場合、前記ＵＬ―関連ＤＣＩに含まれたＵＬグラントにより、ＰＵＳＣＨはＳＦ＃９及びＳＦ＃２でスケジューリングされる。ここで、ＳＦ＃９はＳＦセット１に属し、ＳＦ＃２はＳＦセット２に属した場合を仮定する。前記表８により、ＳＦ＃９に対してはＫPUSCH＝４であるので、ＳＦ＃４でのＰＵＳＣＨ伝送には、ＳＦ＃５で提供されたＴＰＣ値であるｙが適用される。一方、前記表８によると、ＳＦ＃２に対してはＫPUSCH＝６であるので、ＳＦ＃２でのＰＵＳＣＨ伝送には、ＳＦ＃６でＴＰＣが提供された場合、その値を適用することもできる。すなわち、ＳＦ＃５で提供されたＴＰＣ値ｙは、ＳＦ＃９と連動したＳＦセット１のｆｃ（１）（ｉ）のみに適用されるものと言える。また、このような動作は、前記ルールＢに従うものとも言える。
【０２３８】
ＳＦ＃１で前記ＵＬ―関連ＤＣＩが検出され、前記ＵＬ―関連ＤＣＩに含まれたＴＰＣの値はｙで、ＵＬインデックスフィールドの値は１１である場合、前記ＵＬ―関連ＤＣＩに含まれたＵＬグラントにより、ＰＵＳＣＨはＳＦ＃７及びＳＦ＃８でスケジューリングされる。ここで、ＳＦ＃７はＳＦセット１に属し、ＳＦ＃８はＳＦセット２に属した場合を仮定する。前記表８により、ＳＦ＃７に対してはＫPUSCH＝６であるので、ＳＦ＃７でのＰＵＳＣＨ伝送には、ＳＦ＃１で提供されたＴＰＣ値であるｙが適用される。また、前記表８によると、ＳＦ＃８に対してはＫPUSCH＝７であるので、ＳＦ＃８でのＰＵＳＣＨ伝送にも、ＳＦ＃１で提供されたＴＰＣ値であるｙが適用される。すなわち、ＳＦ＃１で提供されたＴＰＣ値ｙは、ＳＦ＃７と連動したＳＦセット１のｆｃ（１）（ｉ）にも適用され、また、ＳＦ＃８と連動したＳＦセット２のｆｃ（２）（ｉ）にも適用される。また、このような動作は、前記ルール１に従うものとも言える。
【０２３９】
ＳＦ＃６で前記ＵＬ―関連ＤＣＩが検出され、前記ＵＬ―関連ＤＣＩに含まれたＴＰＣの値はｙで、ＵＬインデックスフィールドの値は１１である場合、前記ＵＬ―関連ＤＣＩに含まれたＵＬグラントにより、ＰＵＳＣＨはＳＦ＃２及びＳＦ＃３でスケジューリングされる。ここで、ＳＦ＃２はＳＦセット１に属し、ＳＦ＃３はＳＦセット２に属した場合を仮定する。前記表８により、ＳＦ＃２に対してはＫPUSCH＝６であるので、ＳＦ＃２でのＰＵＳＣＨ伝送には、ＳＦ＃６で提供されたＴＰＣ値であるｙが適用される。また、前記表８によると、ＳＦ＃３に対してはＫPUSCH＝７であるので、ＳＦ＃３でのＰＵＳＣＨ伝送にも、ＳＦ＃６で提供されたＴＰＣ値であるｙが適用される。すなわち、ＳＦ＃１６で提供されたＴＰＣ値ｙは、ＳＦ＃２と連動したＳＦセット１のｆｃ（１）（ｉ）にも適用され、また、ＳＦ＃３と連動したＳＦセット２のｆｃ（２）（ｉ）にも適用される。また、このような動作は、前記ルール１に従うものとも言える。
【０２４０】
以下では、本発明の追加的な例示について説明する。
【０２４１】
ＳＦ＃１で前記ＵＬ―関連ＤＣＩが検出され、前記ＵＬ―関連ＤＣＩに含まれたＴＰＣの値はｙで、ＵＬインデックスフィールドの値は１１である場合、前記ＵＬ―関連ＤＣＩに含まれたＵＬグラントにより、ＰＵＳＣＨはＳＦ＃７及びＳＦ＃８でスケジューリングされる。ここで、ＳＦ＃７及びＳＦ＃８が全て同一のＳＦセット（例えば、ＳＦセット１）に属した場合を仮定する。これによると、ＳＦ＃１で提供されたＴＰＣ値であるｙは、ＳＦ＃７のＰＵＳＣＨ伝送のためにも適用され、これ加えて、ＳＦ＃８のＰＵＳＣＨ伝送のためにも適用され得る。すなわち、以前のＴＰＣレベルが０であった場合、ＳＦ＃７ではｙのレベルの伝送電力でＰＵＳＣＨ伝送が行われ、ＳＦ＃８では２ｙのレベルの伝送電力でＰＵＳＣＨ伝送が行われる。
【０２４２】
ここで、同一のＳＦセットに属した各ＳＦでのＰＵＳＣＨ伝送のために一つのＴＰＣ命令のみが提供された場合、新たなＴＰＣ命令（または追加的なＴＰＣ命令）が提供される前には該当のＰＵＳＣＨ  ＰＣプロセスでＰＵＳＣＨ伝送電力を維持することが、ＴＰＣ命令を提供する意図をより正確に反映するという面でより適切であり得る。すなわち、前記例示において、ＳＦ＃１で検出されたＵＬ―関連ＤＣＩによってＳＦ＃７及びＳＦ＃８でＰＵＳＣＨがスケジューリングされ、ＳＦ＃７とＳＦ＃８が同一のＳＦセットに属し（または、同一のＰＵＳＣＨ  ＰＣプロセスの適用を受け）、前記ＵＬ―関連ＤＣＩに含まれた一つのＴＰＣ命令がｙ値を指示する場合、ＳＦ＃７ではｙのレベルの伝送電力でＰＵＳＣＨ伝送を行わせ、ＳＦ＃８でも同一のｙのレベルの伝送電力でＰＵＳＣＨ伝送を行わせること（すなわち、ＳＦ＃８ではＴＰＣ命令を適用しないこと）が好ましい。
【０２４３】
すなわち、本発明では、一つのＳＦで検出されたＵＬ―関連ＤＣＩに含まれたＴＰＣ命令が、前記ＵＬ―関連ＤＣＩに含まれたＵＬグラントによってＰＵＳＣＨがスケジューリングされる複数のＳＦでのＰＵＳＣＨ伝送のために適用される場合、そして、前記複数のＳＦが同一の一つのＳＦセットに属した場合、前記ＴＰＣ命令は、前記複数のＳＦのうちいずれか一つ（例えば、時間上に最も先行する一つ、または時間上に最も遅い一つ）のＳＦのみに適用され、残りのＳＦには適用されない。追加的な提案として、前記複数のＳＦは連続するＳＦである場合に限定し、このような規則を適用させることもできる。このような規則は、前記ルール２の更に他の変形例であるルール２''であると言える。
【０２４４】
本発明によると、上述した各例示のように、どのサブフレームでＵＬインデックス＝１１を伴うＵＬ―関連ＤＣＩが受信されるのかによって、ＵＥが前記ＵＬ―関連ＤＣＩのＵＬグラントによってスケジューリングされる複数のＰＵＳＣＨ伝送サブフレームに対して適用すべきＴＰＣ動作を異なる形に定義することができる（例えば、ＵＬインデックス＝１１を伴うＵＬ―関連ＤＣＩが検出されたサブフレームインデックスによって、ルールＢが適用されたり、ルール１が適用されたり、ルール２またはルール２''が適用されるなど）。前記各例示において、ルールＢ、ルール１、ルール２、ルール２''が適用されることは本発明の一例に過ぎなく、本発明で提案する他の多様なルール（前記ルールＡ、Ｂ、１、２、３、４、５、６、７、８）のうち一つ以上のルールは、前記ＵＬインデックス＝１１を伴うＵＬ―関連ＤＣＩが検出／受信されるサブフレームのインデックスに基づいて定義される条件によって、異なる形に適用することができる。
【０２４５】
実施例５
【０２４６】
本発明では、ＤＣＩフォーマット０／４によって提供されるＴＰＣ命令と、ＤＣＩフォーマット３／３Ａによって提供されるＴＰＣ命令とが一つの同一のサブフレームで検出された場合に対するＵＥ動作について提案する。
【０２４７】
既存のＬＴＥ／ＬＴＥ―Ａシステムでは、サービングセルｃに対するＤＣＩフォーマット０／４とＤＣＩフォーマット３／３Ａが全て同一のサブフレームで検出された場合、ＵＥは、ＤＣＩフォーマット０／４で提供されるδＰＵＳＣＨ，ｃを使用すると定義している。すなわち、ＵＬ―関連ＤＣＩ（すなわち、ＤＣＩフォーマット０／４）とＤＣＩフォーマット３／３Ａが特定のサブフレームインデックスｊで共に受信／検出された場合、ＰＵＳＣＨのためのＴＰＣ命令は、前記ＵＬ―関連ＤＣＩで指示した特定のＴＰＣ値（例えば、ｙ値）のみを適用するようにし、前記サブフレームインデックスｊで同時にＤＣＩフォーマット３／３Ａを通じて指示された特定のＴＰＣ値（例えば、ｚ値）は無視するようにＵＥ動作が定義されている。
【０２４８】
これとは異なり、本発明では、所定の条件を満足するＵＥに対しては、ＵＬ―関連ＤＣＩ（すなわち、ＤＣＩフォーマット０／４）のＴＰＣ値（例えば、ｙ値）とＤＣＩフォーマット３／３ＡのＴＰＣ値（例えば、ｚ値）が特定のサブフレームインデックスｊで共に受信／検出された場合、ＴＰＣ＝ｙ及びＴＰＣ＝ｚが全て有効に適用されると定義または設定することができる。
【０２４９】
具体的に、ＴＰＣ（特に、ＰＵＳＣＨのためのＴＰＣ）は、サブフレームｊで検出されたＤＣＩフォーマット０／４に含まれたＴＰＣ値＝ｙを前記表８のような規則を通じて決定されるＰＵＳＣＨ伝送サブフレームｉでｆｃ（ｘ）（ｉ）に適用し（ここで、ｘは、ＰＵＳＣＨが伝送されるサブフレームインデックスｉがＳＦセット０に属するのか、それともＳＦセット１に属するのかによって決定される）、これと共に、前記サブフレームｊで検出されたＤＣＩフォーマット３／３Ａに含まれたＴＰＣ値＝ｚを前記表８のような規則を通じて決定されるＰＵＳＣＨ伝送サブフレームｋに有効に適用することができる。
【０２５０】
また、ＵＥがこのような動作を行う前記所定の条件は、ｅＩＭＴＡ（ｅｎｈａｎｃｅｄ  ＩＭＴＡ）機能が活性化またはイネーブルされた場合、ＵＬ―ＤＬ  ｃｏｎｆｉｇｕｒａｔｉｏｎ  ＃０が設定された場合、ＵＬインデックスフィールドの値が特定の値に設定された場合、または、所定のシグナリング（黙示的シグナリングまたは明示的シグナリングを含む）を通じて指示／設定された場合のうち一つ以上であると定義することができる。ここで、ｅＩＭＴＡ機能の活性化／イネーブルとは、ｅＩＭＴＡ機能（例えば、ＰＯ＿ＰＵＳＣＨ及び／またはα値を含む最大２個の電力制御ＳＦセットに対する設定、ａｃｔｕａｌ  ＵＬ―ＤＬ  ｃｏｎｆｉｇを指示するための動的シグナリング、ＤＬ（またはＵＬ）ＨＡＲＱレファレンス設定など）がイネーブルまたはディスエーブルされることを指示するＲＲＣシグナリングを通じて行われ得るが、ディスエーブルがシグナリングされる場合は、ｅＩＭＴＡ機能の各要素のうち少なくとも一つを解除することができ、イネーブルがシグナリングされる場合は、ｅＩＭＴＡ機能の各要素のうち少なくとも一つを設定または活性化することができる。また、ＵＬ―ＤＬ  ｃｏｎｆｉｇｕｒａｔｉｏｎ  ＃０が設定された場合とは、システム情報（すなわち、ＳＩＢ１）を通じて設定される場合、または、これをオーバーライドする動的シグナリングによって設定される場合を含む。また、ＵＬインデックスフィールドの値が特定の値に設定された場合とは、ＵＬインデックスの値が０１である場合、または１０である場合であると定義することができる。
【０２５１】
具体的な例示として、ＵＬ―ＤＬ  ｃｏｎｆｉｇｕｒａｔｉｏｎ  ＃０（すなわち、ＤＳＵＵＵＤＳＵＵＵ）において、ＵＬインデックスフィールドの値が０１である（またはＵＬインデックスフィールドのＬＳＢが１と設定された）ＵＬ―関連ＤＣＩのＴＰＣ値がｙで、ＤＣＩフォーマット３／３ＡのＴＰＣ値がｚで、ＵＬ―関連ＤＣＩ及びＤＣＩフォーマット３／３Ａが同時にＳＦ＃０で受信された場合を仮定する。この場合、ＰＵＳＣＨスケジューリングはＳＦ＃７のみで発生し、前記表８の直ぐ上で説明した規則に従ってＫPUSCH＝７が適用されるので、ＳＦ＃７では、ＳＦ＃０（すなわち、ＳＦ＃（７−ＫPUSCH））で提供されたＴＰＣ値ｙが適用される。これと共に、ＰＵＳＣＨスケジューリングに対して適用されるのではないが、ＳＦ＃０で検出されたＤＣＩフォーマット３／３ＡのＴＰＣ値ｚはＳＦ＃４に対して適用される。
【０２５２】
また、ＵＬ―ＤＬ  ｃｏｎｆｉｇｕｒａｔｉｏｎ  ＃０（すなわち、ＤＳＵＵＵＤＳＵＵＵ）において、ＵＬインデックスフィールドの値が０１である（またはＵＬインデックスフィールドのＬＳＢが１と設定された）ＵＬ―関連ＤＣＩのＴＰＣ値がｙで、ＤＣＩフォーマット３／３ＡのＴＰＣ値がｚで、ＵＬ―関連ＤＣＩ及びＤＣＩフォーマット３／３Ａが同時にＳＦ＃５で受信された場合を仮定する。この場合、ＰＵＳＣＨスケジューリングはＳＦ＃２のみで発生し、前記表８の直ぐ上で説明した規則に従ってＫPUSCH＝７が適用されるので、ＳＦ＃２では、ＳＦ＃５（すなわち、ＳＦ＃（２−ＫPUSCH））で提供されたＴＰＣ値ｙが適用される。これと共に、ＰＵＳＣＨスケジューリングに対して適用されるのではないが、ＳＦ＃５で検出されたＤＣＩフォーマット３／３ＡのＴＰＣ値ｚはＳＦ＃９に対して適用される。
【０２５３】
前記各例示のうち、ＳＦ＃０でＵＬ―関連ＤＣＩ及びＤＣＩフォーマット３／３Ａが同時に検出される場合の例示において、ＳＦ＃４はＳＦセット１に属し、ＳＦ＃７はＳＦセット２に属した場合を仮定する。既存に定義された動作によると、ＳＦ＃７にＴＰＣ値ｙのみを適用し、ｆｃ（２）（ｉ）を決定及び適用する一方、ｆｃ（１）（ｉ）に対しては何ら変更も発生しない。一方、本発明の提案によると、ＳＦ＃７にはＴＰＣ値ｙのみを適用し、ｆｃ（２）（ｉ）を決定及び適用すると同時に、ＳＦ＃４にはＴＰＣ値ｚを適用し、ｆｃ（１）（ｉ）も決定及び適用するようになる。このような本発明の例示を通じて分かるように、ＳＦ＃４ではＰＵＳＣＨスケジューリングがないが、ＳＦセット１に属するｆｃ（１）（ｉ）を、ＰＵＳＣＨスケジューリングとは別途に（または関係なく）、時点の制約なしで（ＰＵＳＣＨスケジューリング時点より以前にまたは以後に）いつでもＤＣＩフォーマット３／３Ａを通じて調節できるという点で、ネットワークの設定／指示に対する柔軟性を提供できるという有利な点を有する。さらに、本発明が適用され得るｅＩＭＴＡをサポートするシステムの場合は、ＳＦセット０、１、２、…などに時間ドメイン上で分割して電力制御を適用するので、それぞれのＳＦセット別に独立的なＴＰＣ命令を提供するためのＤＣＩシグナリングが可能な柔軟性が減少するという問題があるが、本発明の提案事項によると、ＤＣＩフォーマット３／３ＡをそれぞれのＳＦセットに対して時点の制約なしで（特に、ＵＬ―関連ＤＣＩと同一の時点で提供されるか否かとは関係なく）適用できるので、前記のような問題を解決することもできる。
【０２５４】
実施例６
【０２５５】
本発明では、ＴＰＣタイムラインによって、ＳＦ＃ｉと連動したＳＦ＃（ｉ−ｋ）でＤＣＩフォーマット０／４に含まれたＴＰＣ命令が提供される場合、ＳＦ＃ｉの実際の使用用途（例えば、ＤＬまたはＵＬサブフレーム）を考慮するか否か、及びそれによる動作に対して追加的に提案する。
【０２５６】
ＤＣＩフォーマット０／４のＵＬグラントがスケジューリングするサブフレームがａｃｔｕａｌ  ＵＬ―ＤＬ  ｃｏｎｆｉｇに従ってＤＬと決定される場合を仮定すると、これは、同一の一つの資源がＤＬ用途に設定されている一方、ＵＬ伝送のために使用することになるので、問題が発生する。これに対しては、相反する（ｃｏｎｆｌｉｃｔｉｎｇ）ＰＤＣＣＨであると見なし、ＵＬグラントを無視したり、ａｃｔｕａｌ  ＵＬ―ＤＬ  ｃｏｎｆｉｇを提供する再設定（ｒｅｃｏｎｆｉｇｕｒａｔｉｏｎ）ＤＣＩを無視したり、または二つとも無視する動作を考慮することができる。
【０２５７】
具体的に、一つのＵＬグラントが一つのＰＵＳＣＨをスケジューリングする場合は、該当のＰＵＳＣＨ伝送ＵＬ  ＳＦの用途がＤＬ用途に再設定された場合、前記ＵＬグラントを無視するように動作することができる。これと共にまたは別途に、一つのＵＬグラントが２個のＰＵＳＣＨをスケジューリングする場合、前記２個のＰＵＳＣＨが伝送される各ＵＬ  ＳＦのうち少なくとも一つでもＤＬ用途に再設定された場合（または２個のＰＵＳＣＨが全てＤＬ用途に再設定された場合）、前記ＵＬグラントを無視するように動作することができる。
【０２５８】
上述した本発明の多様な例示に係るＵＥ動作のそれぞれに対する活性化／非活性化は、ＲＲＣシグナリングまたはＭＡＣシグナリングを通じて提供することができる。
【０２５９】
図１３は、本発明に係るアップリンク伝送電力制御方法を説明するためのフローチャートである。
【０２６０】
段階Ｓ１０において、端末は、基地局からＵＬ―ＤＬ設定に対する情報を受信することができる。これは、システム情報（ＳＩＢ）によって提供されたり、これをオーバーライドする動的設定として提供されたり、または他の用途（例えば、ＵＬまたはＤＬ  ＨＡＲＱタイムラインを定義するための用途）の設定情報であり得る。
【０２６１】
段階Ｓ２０において、端末は、基地局からＴＰＣ情報を受信することができる。これは、ＤＣＩフォーマット０／４などのＵＬ―関連ＤＣＩを通じて提供することもでき、ＤＣＩフォーマット３／３Ａを通じて提供することもでき、その他のＤＣＩフォーマットを通じて提供することもできる。
【０２６２】
段階Ｓ３０において、端末は、基地局から前記段階Ｓ１０及びＳ２０を通じて受信された各情報に基づいて、アップリンク伝送（例えば、ＰＵＣＣＨ伝送またはＰＵＳＣＨ伝送）のためのＴＰＣを決定またはアップデートすることができる。
【０２６３】
段階Ｓ４０において、前記段階Ｓ３０で決定されたＴＰＣ値に従って基地局へのアップリンク信号伝送を行うことができる。
【０２６４】
図１３を参照して説明した方法に対して、上述した本発明の多様な実施例で説明した各事項を独立的に適用したり、または２以上の実施例を同時に適用することができ、重複する説明は省略する。
【０２６５】
また、図１３で説明する例示的な方法は、説明の簡明さのために動作のシリーズと表現されているが、これは、段階が行われる順序を制限するためのものではなく、必要な場合は、それぞれの段階を同時にまたは異なる順序で行うこともできる。また、本発明で提案する方法を具現するために、図１３で例示する全ての段階が必ず必要ではない。
【０２６６】
図１４は、本発明に係る端末装置及び基地局装置の好ましい実施例の構成を示した図である。
【０２６７】
図１４を参照すると、本発明に係る基地局装置１０は、受信モジュール１１、伝送モジュール１２、プロセッサ１３、メモリ１４及び複数のアンテナ１５を含むことができる。受信モジュール１１は、外部装置（例えば、端末）から各種信号、データ及び情報を受信することができる。伝送モジュール１２は、外部装置（例えば、端末）に各種信号、データ及び情報を伝送することができる。プロセッサ１３は、基地局装置１０全般の動作を制御することができる。複数のアンテナ１５は、基地局装置１０がＭＩＭＯ送受信をサポートすることを意味する。
【０２６８】
本発明の一例に係る基地局装置１０のプロセッサ１３は、ＵＬ―ＤＬ設定に対する情報、ＴＰＣ情報などを決定し、伝送モジュール１２を制御し、端末装置２０にこれを提供するように設定することができる。また、プロセッサ１３は、端末装置２０からのアップリンク伝送を、受信モジュール１１を制御して受信するように設定することができる。
【０２６９】
前記のような基地局装置１０の具体的な構成において、端末装置２０でのアップリンク伝送電力制御のために基地局装置１０が端末装置２０に提供する多様な情報及びアップリンク伝送電力制御方式などについては、本発明で提案する多様な例示の一つまたは二つ以上の組み合わせを適用することができる。
【０２７０】
基地局装置１０のプロセッサ１３は、その他にも、基地局装置１０が受信した情報、外部に伝送する情報などを演算処理する機能を行い、メモリ１４は、演算処理された情報などを所定時間の間保存することができ、バッファー（図示せず）などの構成要素に取り替えることができる。
【０２７１】
図１４を参照すると、本発明に係る端末装置２０は、受信モジュール２１、伝送モジュール２２、プロセッサ２３、メモリ２４及び複数のアンテナ２５を含むことができる。受信モジュール２１は、外部装置（例えば、基地局）から各種信号、データ及び情報を受信することができる。伝送モジュール２２は、外部装置（例えば、基地局）に各種信号、データ及び情報を伝送することができる。プロセッサ２３は、端末装置２０全般の動作を制御することができる。複数のアンテナ２５は、端末装置２０がＭＩＭＯ送受信をサポートすることを意味する。
【０２７２】
本発明の一例に係る端末装置２０のプロセッサ２３は、ＵＬ―ＤＬ設定に対する情報、ＴＰＣ情報などを、受信モジュール２１を制御して基地局装置１０から受信するように設定することができる。また、プロセッサ２３は、アップリンク伝送を、伝送モジュール２２を制御して基地局装置１０に伝送するように設定することができる。
【０２７３】
前記のような基地局装置１０の具体的な構成において、端末装置２０でのアップリンク伝送電力制御のために基地局装置１０から提供される多様な情報及びアップリンク伝送電力制御方式などについては、本発明で提案する多様な例示の一つまたは二つ以上の組み合わせを適用することができる。
【０２７４】
端末装置２０のプロセッサ２３は、その他にも、端末装置２０が受信した情報、外部に伝送する情報などを演算処理する機能を行い、メモリ２４は、演算処理された情報などを所定時間の間保存することができ、バッファー（図示せず）などの構成要素に取り替えることができる。
【０２７５】
前記のような基地局装置１０及び端末装置２０の具体的な構成は、上述した本発明の多様な実施例で説明した各事項が独立的に適用されたり、または２以上の実施例が同時に適用されるように具現することができ、重複する内容は説明を省略する。
【０２７６】
また、本発明の多様な実施例を説明するにおいて、ダウンリンク伝送主体（ｅｎｔｉｔｙ）またはアップリンク受信主体は、主に基地局を例に挙げて説明し、ダウンリンク受信主体またはアップリンク伝送主体は、主に端末を例に挙げて説明するが、本発明の範囲がこれに制限されることはない。例えば、前記基地局に対する説明は、セル、アンテナポート、アンテナポートグループ、ＲＲＨ、伝送ポイント、受信ポイント、アクセスポイント、中継器などが端末へのダウンリンク伝送主体になるか、端末からのアップリンク受信主体になる場合に同一に適用することができる。また、中継器が端末へのダウンリンク伝送主体になるか、端末からのアップリンク受信主体になる場合、または、中継器が基地局へのアップリンク伝送主体になるか、基地局からのダウンリンク受信主体になる場合にも、本発明の多様な実施例を通じて説明した本発明の原理を同一に適用することもできる。
【０２７７】
上述した本発明の各実施例は、多様な手段を通じて具現することができる。例えば、本発明の各実施例は、ハードウェア、ファームウェア、ソフトウェアまたはそれらの結合などによって具現することができる。
【０２７８】
ハードウェアによる具現の場合、本発明の各実施例に係る方法は、一つまたはそれ以上のＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰｓ（Ｄｉｇｉｔａｌ  Ｓｉｇｎａｌ  Ｐｒｏｃｅｓｓｏｒｓ）、ＤＳＰＤｓ（Ｄｉｇｉｔａｌ  Ｓｉｇｎａｌ  Ｐｒｏｃｅｓｓｉｎｇ  Ｄｅｖｉｃｅｓ）、ＰＬＤｓ（Ｐｒｏｇｒａｍｍａｂｌｅ  Ｌｏｇｉｃ  Ｄｅｖｉｃｅｓ）、ＦＰＧＡｓ（Ｆｉｅｌｄ  Ｐｒｏｇｒａｍｍａｂｌｅ  Ｇａｔｅ  Ａｒｒａｙｓ）、プロセッサ、コントローラー、マイクロコントローラー、マイクロプロセッサなどによって具現することができる。
【０２７９】
ファームウェアやソフトウェアによる具現の場合、本発明の各実施例に係る方法は、以上で説明した機能または動作を行うモジュール、手順または関数などの形態で具現することができる。ソフトウェアコードは、メモリユニットに保存されてプロセッサによって駆動され得る。前記メモリユニットは、前記プロセッサの内部または外部に位置し、既に公知の多様な手段によって前記プロセッサとデータを取り交わすことができる。
【０２８０】
上述したように開示した本発明の好ましい各実施例に対する詳細な説明は、当業者が本発明を具現して実施できるように提供された。以上では、本発明の好ましい各実施例を参照して説明したが、該当の技術分野で熟練した当業者であれば、本発明の領域から逸脱しない範囲内で本発明を多様に修正及び変更可能であることを理解できるだろう。例えば、当業者は、上述した各実施例に記載した各構成を互いに組み合わせる方式を用いることができる。したがって、本発明は、これに示した各実施形態に制限されるものではなく、ここで開示した各原理及び新規の特徴と一致する最広の範囲を付与するものである。
【０２８１】
本発明は、本発明の必須的特徴から逸脱しない範囲で他の特定の形態に具体化することができる。したがって、前記の詳細な説明は、全ての面で制限的に解釈してはならなく、例示的なものとして考慮しなければならない。本発明の範囲は、添付の請求項の合理的解釈によって決定しなければならなく、本発明の等価的範囲内での全ての変更は本発明の範囲に含まれる。本発明は、ここで示した各実施形態に制限されるものではなく、ここで開示した各原理及び新規の特徴と一致する最広の範囲を付与するものである。また、特許請求の範囲で明示的な引用関係がない各請求項を結合して実施例を構成したり、出願後の補正によって新たな請求項を含ませることができる。
【産業上の利用可能性】
【０２８２】
上述したような本発明の各実施形態は、多様な移動通信システムに適用することができる。
【図１】
2016515334.tif 000030
【図２】
2016515334.tif 000031
【図３】
2016515334.tif 000032
【図４】
2016515334.tif 000033
【図５】
2016515334.tif 000034
【図６】
2016515334.tif 000035
【図７】
2016515334.tif 000036
【図８】
2016515334.tif 000037
【図９】
2016515334.tif 000038
【図１０】
2016515334.tif 000039
【図１１】
2016515334.tif 000040
【図１２】
2016515334.tif 000041
【図１３】
2016515334.tif 000042
【図１４】
2016515334.tif 000043
【国際調査報告】
2016515334.tif 000044
2016515334.tif 000045
2016515334.tif 000046
2016515334.tif 000047